(57)【特許請求の範囲】
【請求項１】
波長λ１（３９０ｎｍ＜λ１＜４１５ｎｍ）の光束を出射する光源と、カップリングレンズと、プラスチック材料からなる対物レンズとを有し、
透明基板厚が互いに異なる情報記録面を厚さ方向に３つ以上有する光ディスクにおけるいずれかの情報記録面を選択して、前記光源から出射された波長λ１の光束を前記対物レンズにより前記選択された情報記録面に集光することによって、情報の記録及び／または再生を行う光ピックアップ装置であって、
前記カップリングレンズは、光軸方向に移動可能とされた単玉レンズからなる移動レンズを有し、前記光源と前記対物レンズとの間で前記移動レンズを光軸方向に移動させることにより、光ディスクにおけるいずれかの情報記録面を選択し、
前記対物レンズは、単玉レンズであり、
前記対物レンズの像側開口数（ＮＡ）は０．８以上、０．９５以下であり、
前記透明基板厚のうち最大の透明基板厚をＴMAX（ｍｍ）としたとき、常温（２５±３℃）、かつ、（１）式を満たすカバーガラス厚Ｔ（ｍｍ）において、球面収差が最小となるときの倍率Ｍが（２）式を満たし、
ＴMAX×０．８０≦Ｔ≦ＴMAX×０．９５    （１）
−０．００３≦Ｍ≦０．００３             （２）
前記カップリングレンズから前記対物レンズ側に平行光束が出射される位置を前記移動レンズの原点とし、前記原点から前記光源側を（−）とし、前記原点から前記光ディスク側を（＋）としたときに、前記光ディスクの光束入射面から最も遠い情報記録面を選択して前記光束を集光する際の前記移動レンズの位置がＡ（Ａ＜０）であり、前記光ディスクの光束入射面に最も近い情報記録面を選択して前記光束を集光する際の前記移動レンズの位置がＢ（Ｂ＞０）である場合に、以下の式を満たすことを特徴とする光ピックアップ装置。
−１０≦Ｂ／Ａ≦−１．５                 （３）
【請求項２】
前記対物レンズの前記波長λ１における焦点距離ｆ（ｍｍ）が、以下の式を満たすことを特徴とする請求項１に記載の光ピックアップ装置。
１．０≦ｆ≦１．４５    （５）
【請求項３】
前記対物レンズは、前記倍率Ｍにおいて、有効半径の７割から９割の間で正弦条件違反量が正の極大値を持ち、前記有効半径内において正弦条件違反量が負の極大値を持たないことを特徴とする請求項１又は２に記載の光ピックアップ装置。
【請求項４】
前記対物レンズは、前記倍率Ｍにおいて、有効半径の７割から９割の間で正弦条件違反量が正の極大値を持ち、更に、前記正の極大値よりも光軸に近い位置で正弦条件違反量が負の極大値を持つことを特徴とする請求項１から３のいずれかに記載の光ピックアップ装置。
【請求項５】
前記カップリングレンズは正のレンズ群及び負のレンズ群の２群構成からなり、前記正のレンズ群の少なくとも１枚のレンズが前記移動レンズであることを特徴とする請求項１から４のいずれかに記載の光ピックアップ装置。
【請求項６】
前記式（１）の内、Ｔ＝ＴMAX×０．８０を除いたことを特徴とする請求項１〜５のいずれかに記載の光ピックアップ装置。
【請求項７】
以下の式を満たすことを特徴とする請求項１〜６のいずれかに記載の光ピックアップ装置。
ＴMAX×０．８５≦Ｔ≦ＴMAX×０．９５        （１′）
【請求項８】
前記透明基板厚のうち最小の透明基板厚をＴMIN（ｍｍ）としたとき、以下の式を満たすことを特徴とする請求項１〜７のいずれかに記載の光ピックアップ装置。
（ＴMAX＋ＴMIN）／２＜Ｔ≦ＴMAX×０．９５      （２５）
【請求項９】
請求項１から８のいずれかに記載の光ピックアップ装置を有する光ディスクドライブ装置を備えたことを特徴とする光情報記録再生装置。
【発明の詳細な説明】
【技術分野】
【０００１】
本発明は、厚さ方向に３つ以上の情報記録面を有する光ディスクに対して情報の記録及び／又は再生を行える光ピックアップ装置及び該光ピックアップ装置を有する光情報記録再生装置に関する。
【背景技術】
【０００２】
波長４００ｎｍ程度の青紫色半導体レーザを用いて、情報の記録及び／又は再生（以下、「記録及び／又は再生」を「記録／再生」と記載する）を行える高密度光ディスクシステムが知られており、その一例であるＮＡ０．８５、光源波長４０５ｎｍの仕様で情報記録／再生を行う光ディスク、いわゆるＢｌｕ−ｒａｙ Ｄｉｓｃ（登録商標）（以下、ＢＤという）では、ＤＶＤ（ＮＡ０．６、光源波長６５０ｎｍ、記憶容量４．７ＧＢ）と同じ大きさである直径１２ｃｍの光ディスクに対して、１層あたり２５ＧＢの情報の記録が可能である。
【０００３】
ところで、従来のＢＤは１層もしくは２層の情報記録面を有しているものが多いが、１枚のＢＤに、より大きなデータを保存したいという市場の要求から、３層以上の情報記録面を有するＢＤについても実用化を目指して研究が進んでいる。しかるに、情報の記録／再生を行う際の光束のＮＡが０．８５と大きいため、複数の情報記録面を有するＢＤでは、一つの情報記録面に対して最小の球面収差を付与するようにすると、透明基板厚（光ディスクの光束入射面から情報記録面までの距離）が異なる他の情報記録面においては球面収差が増大し、適切に情報の記録／再生を行えなくなるという問題がある。かかる球面収差の問題は情報記録面の数が多くなるほど（すなわち、表面からの距離が最も小さい情報記録面と表面からの距離が最も大きい情報記録面との間隔が大きくなるほど）顕在化する。【０００４】
これに対し特許文献１には、光源と対物レンズとの間に配置したカップリングレンズを光軸方向に移動させることで対物レンズの倍率を変更し、選択した情報記録面に対して、３次球面収差を抑えた光束を集光させることができる光ピックアップ装置が開示されている。尚、情報の記録／再生を行うべき情報記録面をある情報記録面から他の情報記録面へと変える動作を、本明細書では「フォーカスジャンプ」と呼ぶことがある。
【先行技術文献】
【特許文献】
【０００５】
【特許文献１】特許第４１４４７６３号明細書
【発明の概要】
【発明が解決しようとする課題】
【０００６】
然るに、上記の特許文献１に記載された光ピックアップ装置により、例えば３層以上の情報記録面を有する光ディスクに対して情報の記録／再生を行う為には、いずれかの情報記録面を選択する際に、カップリングレンズの移動距離が長く必要になる。カップリングレンズの移動距離が長くなると、光源から対物レンズまでの光路長が長くなり、例えば光ピックアップ装置の小型化を図れないという問題がある。又、カップリングレンズを駆動する大型のアクチュエータが必要になり、コストも増大するという問題がある。【０００７】
特に、３層以上の情報記録面を有するＢＤに対して情報の記録／再生を行える光ピックアップ装置において、従来では据え置き型レコーダ等に搭載される、いわゆるハーフハイトと呼ばれる比較的厚めのタイプではカップリングレンズの移動スペースを比較的大きく確保できるのに対し、ノート型ＰＣや薄形テレビの背面等に搭載される、いわゆるスリムタイプと呼ばれる比較的薄めの光ピックアップ装置ではカップリングレンズの移動スペースを十分に確保できないという問題がある。【０００８】
更に、一般的に、光ピックアップ装置では、光ディスクに対して情報の記録／再生を行う際に、対物レンズを前記光ディスクのラジアル方向、及び／または、タンジェンシャル方向に沿って傾ける（本明細書ではレンズチルトと呼ぶ）ことで発生するコマ収差により、光ディスクの反りや傾き（本明細書ではディスクチルトと呼ぶ）によって発生するコマ収差をキャンセルさせることが可能となっている。従って、レンズチルトした際に発生するコマ収差量が小さいと、ディスクチルトによるコマ収差を補正するために必要なレンズチルト量が大きくなるため、レンズチルト量のダイナミックレンジを十分に大きく確保する必要が生じて、光ピックアップ装置が大型化したり、アクチュエータの消費電力が増大する、といった問題が発生する。しかし、ＢＤ用の光ピックアップ装置においては、透明基板厚が厚い方の情報記録面Ｌ０（例えば、透明基板厚１００μｍ）に対して情報の記録／再生を行う際には、カップリングレンズを光軸方向に移動させることにより、対物レンズに対して発散光束が入射するため、平行光束が入射する場合に比べてレンズチルトした際のコマ収差量が小さくなる。【０００９】
以上より、３層以上のＢＤに対応した光ピックアップ装置においては、レンズチルトした際のコマ収差量が小さくなり、ディスクチルトによるコマ収差を良好に補正することが出来なくなるという問題が発生する可能性が有る。【００１０】
また、プラスチック材料からなる対物レンズで高ＮＡを実現しようとすると、温度変化によるビームスポットでの球面収差の発生（本明細書では温度収差と呼ぶ）が顕著となり、例えば焦点距離１．４１ｍｍのプラスチック材料からなる対物レンズにおける３０℃変化での球面収差の変化量は約１００ｍλｒｍｓとなり、マレシャル限界値である７０ｍλｒｍｓを超えてしまう。従来のＤＶＤではＮＡが０．６０〜０．６７程度であったため温度変化により発生する球面収差量は比較的小さくこの球面収差を補正する必要はなかったが、ＢＤ用の対物レンズになると、球面収差がＮＡの４乗に比例することもあって、温度変化により発生する球面収差量が大きくなるためである。そのため、プラスチック製の対物レンズを搭載したＢＤ用の光ピックアップ装置では、カップリングレンズを光軸方向に移動させることにより温度変化により発生する収差を補正する必要がある。したがって、プラスチック製の対物レンズを用いて、情報記録面Ｌ０に対して情報の記録／再生を行っている間に、環境温度が高温になった場合には、対物レンズへの入射光の発散度合いが更に大きくなるため、レンズチルトした際のコマ収差量が更に小さくなり、ディスクチルトによるコマ収差を良好に補正することが出来なくなるという問題がより大きくなる。【００１１】
本発明は、上述の問題を考慮してなされたものであり、カップリングレンズの移動量を低減でき、コンパクト且つ低コストであってスリムタイプの光ピックアップ装置として好適であり、多層の情報記録面を有する光ディスクに対して情報の記録／再生を行うことができる光ピックアップ装置を提供することを目的とする。【００１２】
尚、本明細書において、「透明基板厚」は光ディスクの光束入射面から情報記録面までの距離のことであり、情報記録面を厚さ方向に複数有する光ディスクでは、それぞれの情報記録面の透明基板厚は互いに異なることになる。また、一般的に、光ピックアップ用の対物レンズは、所定の厚みのカバーガラスと組み合わせて球面収差が最小となるように球面収差の補正状態が決定される（かかるカバーガラスの厚みを設計カバーガラス厚ともいう）。設計カバーガラス厚は、光ディスクのいずれかの情報記録面の透明基板厚と同じである場合もあれば、異なる場合もある。カバーガラスの厚みが変わると対物レンズの特性も変わるので、光ピックアップ用の対物レンズの特性を議論する際には、カバーガラス厚もセットで考える必要がある。そのため、本明細書では、対物レンズの特性に関して述べる際には、「カバーガラス」なる言葉を使用し、光ディスクの「透明基板」と区別することにする（尚、「カバーガラス」という文言を使用しているが、カバーガラス厚は、ガラスに限定されるものではなく、樹脂であってもよい旨を付言する）。
【課題を解決するための手段】
【００１３】
請求項１に記載の光ピックアップ装置は、
波長λ１（３９０ｎｍ＜λ１＜４１５ｎｍ）の光束を出射する光源と、カップリングレンズと、プラスチック材料からなる対物レンズとを有し、
透明基板厚が互いに異なる情報記録面を厚さ方向に３つ以上有する光ディスクにおけるいずれかの情報記録面を選択して、前記光源から出射された波長λ１の光束を前記対物レンズにより前記選択された情報記録面に集光することによって、情報の記録及び／または再生を行う光ピックアップ装置であって、
前記カップリングレンズは、光軸方向に移動可能とされた単玉レンズからなる移動レンズを有し、前記光源と前記対物レンズとの間で前記移動レンズを光軸方向に移動させることにより、光ディスクにおけるいずれかの情報記録面を選択し、
前記対物レンズは、単玉レンズであり、
前記対物レンズの像側開口数（ＮＡ）は０．８以上、０．９５以下であり、
前記透明基板厚のうち最大の透明基板厚をＴMAX（ｍｍ）としたとき、常温（２５±３℃）、かつ、（１）式を満たすカバーガラス厚Ｔ（ｍｍ）において、球面収差が最小となるときの倍率Ｍが（２）式を満たし、
ＴMAX×０．８０≦Ｔ≦ＴMAX×０．９５    （１）
−０．００３≦Ｍ≦０．００３             （２）
前記カップリングレンズから前記対物レンズ側に平行光束が出射される位置を前記移動レンズの原点とし、前記原点から前記光源側を（−）とし、前記原点から前記光ディスク側を（＋）としたときに、前記光ディスクの光束入射面から最も遠い情報記録面を選択して前記光束を集光する際の前記移動レンズの位置がＡ（Ａ＜０）であり、前記光ディスクの光束入射面に最も近い情報記録面を選択して前記光束を集光する際の前記移動レンズの位置がＢ（Ｂ＞０）である場合に、以下の式を満たすことを特徴とする。
−１０≦Ｂ／Ａ≦−１．５                 （３）
【００１４】
薄めの光ピックアップ装置、いわゆるスリムタイプの光ピックアップ装置においては、厚めの光ピックアップ装置、いわゆるハーフハイトのタイプに比べカップリングレンズの移動スペースに比較的厳しい制約がある。しかるに、カップリングレンズと光源との間には、一般的に偏光ビームスプリッタやハーフミラー等の固定された素子が配置されているので、光源側にカップリングレンズを大きく移動させることは困難であるものの、対物レンズ側のスペースには比較的余裕がある。そこで、本発明者は鋭意研究の結果、（１）式を満たすカバーガラス厚Ｔにおいて、球面収差が最小となるときの倍率Ｍが（２）式を満たすようにすると、原点に対し光源側に向かうカップリングレンズの移動量を、原点に対し対物レンズ側に向かうカップリングレンズの移動量に対して小さくするようにできることを見出した。これによりカップリングレンズと固定された素子との干渉を回避しつつ、カップリングレンズのトータルの移動量を確保して、３層以上の情報記録面のいずれかを選択して情報の記録／再生を行えるようにしたのである。【００１５】
さらに、３層以上の情報記録面を有するＢＤに対応するピックアップ装置としては、上述したように、透明基板厚が厚い方の情報記録面に対して情報の記録／再生を行う際の対物レンズのチルト感度が小さくなりすぎないことが必要である。特に、プラスチック製の対物レンズを使用する場合には、透明基板厚が厚い方の情報記録面に対して情報の記録／再生を行う最中に環境温度が高温になった場合のレンズチルト感度が小さくなり過ぎないことが必要である。（１）式を満たすことにより、透明基板厚が厚い方の情報記録面に対して情報の記録／再生を行なう際の対物レンズのチルト感度が小さくなりすぎることも防止できるのである。【００１６】
なお、前記カップリングレンズから前記対物レンズ側に平行光束が出射される位置を前記移動レンズの原点とし、前記原点から前記光源側に向かう前記移動レンズの最大移動距離は、前記原点から前記対物レンズ側に向かう前記移動レンズの最大移動距離よりも小さいことが好ましい。これにより限られたスペースを有するスリムタイプの光ピックアップ装置において、カップリングレンズと、光源側に固定された素子との干渉を回避しつつも、３層以上の情報記録面のいずれかを選択して情報の記録／再生を行えるようになる。なお、前記光ディスクの光束入射面から最も遠い情報記録面を選択して前記光束を集光する際の前記移動レンズの前記原点からの移動距離が、前記光ディスクの光束入射面に最も近い情報記録面を選択して前記光束を集光する際の前記移動レンズの前記原点からの移動距離よりも小さいことが好ましい。
【００１７】
前記カップリングレンズから前記対物レンズ側に平行光束が出射される位置を前記移動レンズの原点とし、前記原点から前記光源側を（−）とし、前記原点から前記光ディスク側を（＋）としたときに、前記光ディスクの光束入射面から最も遠い情報記録面を選択して前記光束を集光する際の前記移動レンズの位置がＡ（Ａ＜０）であり、前記光ディスクの光束入射面に最も近い情報記録面を選択して前記光束を集光する際の前記移動レンズの位置がＢ（Ｂ＞０）である場合に、以下の式、
−１０≦Ｂ／Ａ≦−１．５   （３）
を満たす。
【００１８】
（３）式を満たすことで、限られたスペースを有するスリムタイプの光ピックアップ装置において、カップリングレンズと、光源側に固定された素子との干渉を回避しつつも、３層以上の情報記録面のいずれかを選択して情報の記録／再生を行える。また、透明基板厚が厚い方の情報記録面に対して情報の記録／再生を行う際の対物レンズのチルト感度が小さくなりすぎることを適切に防止できる。【００１９】
なお、前記カップリングレンズから前記対物レンズ側に平行光束が出射される位置を前記移動レンズの原点とし、前記原点から前記光源側を（−）とし、前記原点から前記光ディスク側を（＋）としたときに、前記光ディスクの光束入射面から最も遠い情報記録面を選択して前記光束を集光する際の前記移動レンズの位置がＡ（Ａ＞０）であり、前記光ディスクの光束入射面に最も近い情報記録面を選択して前記光束を集光する際の前記移動レンズの位置がＢ（Ｂ＞０）である場合に、以下の式、
５≦Ｂ／Ａ≦１５   （４）
を満たすことが好ましい。
【００２０】
（４）式を満たすことで、限られたスペースを有するスリムタイプの光ピックアップ装置において、移動レンズが光源側へ移動することがなくなるので、カップリングレンズと、光源側に固定された素子の配置の自由度が増す。【００２１】
請求項２に記載の光ピックアップ装置は、請求項１に記載の発明において、前記対物レンズの前記波長λ１における焦点距離ｆ（ｍｍ）が、以下の式、
１．０≦ｆ≦１．４５   （５）
を満たすことを特徴とする。
【００２２】
請求項３に記載の光ピックアップ装置は、請求項１又は２に記載の発明において、前記倍率Ｍにおいて、有効半径の７割から９割の間で正弦条件違反量が正の極大値を持ち、前記有効半径内において正弦条件違反量が負の極大値を持たないことを特徴とする。
【００２３】
この様な構成とすることにより、フォーカスジャンプ時の残留高次球面収差をより小さくでき、フォーカスジャンプをする際のカップリングレンズの移動量をより小さくでき、また、透明基板厚が厚い方の情報記録面に対して情報の記録／再生を行う最中であってもレンズチルト感度の低減を抑えることが出来、更に対物レンズがプラスチック製であって環境温度が高温になった場合でもレンズチルト感度の低減をより抑えることが可能となる。【００２４】
請求項４に記載の光ピックアップ装置は、請求項１から３のいずれかに記載の発明において、前記倍率Ｍにおいて、有効半径の７割から９割の間で正弦条件違反量が正の極大値を持ち、更に、前記正の極大値よりも光軸に近い位置で正弦条件違反量が負の極大値を持つことを特徴とする。
【００２５】
この様な構成とすることにより、フォーカスジャンプ時の残留高次球面収差を小さくでき、フォーカスジャンプをする際のカップリングレンズの移動量を小さくでき、また、透明基板厚が厚い方の情報記録面に対して情報の記録／再生を行う最中であってもレンズチルト感度の低減を抑えることが出来、更に対物レンズがプラスチック製であって環境温度が高温になった場合でもレンズチルト感度の低減をより抑えることが可能となることに加え、対向する２つの光学面が製造誤差により光軸直交方向にシフトしてしまう場合の収差の発生量を抑えることができ、また、光軸上のレンズ厚が製造誤差により光軸方向にずれてしまう場合の収差の発生量も抑えることが可能となるため、より製造しやすい対物レンズを提供することが可能となる。【００２９】
請求項５に記載の光ピックアップ装置は、請求項１から４のいずれかに記載の発明において、前記カップリングレンズは正のレンズ群及び負のレンズ群の２群構成からなり、前記正のレンズ群の少なくとも１枚のレンズが前記移動レンズであることを特徴とする。
【００３０】
本発明によって、さらに移動レンズの移動量を小さく抑えることが可能となり、よりコンパクトな光ピックアップ装置を提供することが可能となる。
請求項６に記載の光ピックアップ装置は、請求項１〜５のいずれかに記載の発明において、前記式（１）の内、Ｔ＝ＴMAX×０．８０を除いたことを特徴とする。
請求項７に記載の光ピックアップ装置は、請求項１〜６のいずれかに記載の発明において、以下の式（１′）を満たすことを特徴とする。
ＴMAX×０．８５≦Ｔ≦ＴMAX×０．９５        （１′）
請求項８に記載の光ピックアップ装置は、請求項１〜７のいずれかに記載の発明において、前記透明基板厚のうち最小の透明基板厚をＴMIN（ｍｍ）としたとき、以下の式（２５）を満たすことを特徴とする。
（ＴMAX＋ＴMIN）／２＜Ｔ≦ＴMAX×０．９５      （２５）
【００３１】
本発明に係る光ピックアップ装置は、少なくとも１つの光源（第１光源）を有する。勿論、複数種類の光ディスクに対応できるように、複数種類の光源を有していてもよい。さらに、本発明の光ピックアップ装置は、少なくとも第１光源からの第１光束を第１光ディスクの情報記録面上に集光させるための集光光学系を有する。複数種類の光ディスクに対応可能な光ピックアップ装置においては、集光光学系が、第２光束を第２光ディスクの情報記録面上に集光させ、第３光束を第３光ディスクの情報記録面上に集光するようにしてもよい。また、本発明の光ピックアップ装置は、少なくとも第１光ディスクの情報記録面からの反射光束を受光する受光素子を有する。複数種類の光ディスクに対応可能な光ピックアップ装置においては、受光素子が、第２光ディスクの情報記録面からの反射光束を受光し、第３光ディスクの情報記録面からの反射光束を受光するようにしてもよい。尚、本明細書で「物体側」とは光源側を意味し、「像側」とは光ディスク側を意味するものとする。【００３２】
第１光ディスクは、厚さがｔ１の透明基板と情報記録面とを有する。第２光ディスクは厚さがｔ２（ｔ１＜ｔ２）の透明基板と情報記録面とを有する。第３光ディスクは、厚さがｔ３（ｔ２＜ｔ３）の透明基板と情報記録面とを有する。第１光ディスクがＢＤであり、第２光ディスクがＤＶＤであり、第３光ディスクがＣＤであることが好ましいが、これに限られるものではない。【００３３】
第１光ディスクは、厚み方向に重ねて３つ以上の情報記録面を有するものである。即ち、第１光ディスクは、光ディスクの光束入射面から情報記録面までの距離（これを、本明細書では「透明基板厚」という）が互いに異なる情報記録面を厚さ方向に３つ以上有する光ディスクである。当然、４つ以上の情報記録面を有していてもよい。また、第２光ディスクや第３光ディスクも複数の情報記録面を有していてもよい。尚、「最大の透明基板厚」とは、複数の情報記録面のうち、光ディスクにおける光束の入射面から最も遠い情報記録面の透明基板厚をいい、「最小の透明基板厚」とは、光ディスクにおける光束の入射面に最も近い情報記録面の透明基板厚をいう。【００３４】
透明基板厚のうち最小の透明基板厚をＴＭＩＮとし、透明基板厚のうち最大の透明基板厚をＴＭＡＸとしたとき、（６）式を満たすことが好ましい。
０．０３（ｍｍ）＜ＴＭＡＸ−ＴＭＩＮ＜０．０６（ｍｍ）    （６）
（６）式を満たすような、３層以上の情報記録面を有するような光ディスクにおいては、上述したように、フォーカスジャンプをする際のカップリングレンズの移動量がより長くなり、カップリングレンズの移動量に関する課題が大きくなるものであるが、本発明は、その様な大きな課題を解決するものである。【００３５】
従って、光ピックアップ装置は、第１光ディスクの複数の情報記録面のうち、いずれかの情報記録面を選択して、光源から出射された光束を対物レンズにより、選択された情報記録面に集光することによって、情報の記録及び／または再生を行うものである。【００３６】
本明細書において、ＢＤとは、波長３９０〜４１５ｎｍ程度の光束、ＮＡ０．８〜０．９５程度の対物レンズにより情報の記録／再生が行われ、透明基板の厚さが０．０５〜０．１２５ｍｍ程度であるＢＤ系列光ディスクの総称であり、単一の情報記録面のみ有するＢＤや、３層以上の情報記録面を有するＢＤ等を含むものであるが、本発明の光ピックアップ装置は、少なくとも３層以上の情報記録面を有するＢＤに対応可能である。更に、本明細書においては、ＤＶＤとは、ＮＡ０．６０〜０．６７程度の対物レンズにより情報の記録／再生が行われ、透明基板の厚さが０．６ｍｍ程度であるＤＶＤ系列光ディスクの総称であり、ＤＶＤ−ＲＯＭ、ＤＶＤ−Ｖｉｄｅｏ、ＤＶＤ−Ａｕｄｉｏ、ＤＶＤ−ＲＡＭ、ＤＶＤ−Ｒ、ＤＶＤ−ＲＷ、ＤＶＤ＋Ｒ、ＤＶＤ＋ＲＷ等を含む。また、本明細書においては、ＣＤとは、ＮＡ０．４５〜０．５１程度の対物レンズにより情報の記録／再生が行われ、透明基板の厚さが１．２ｍｍ程度であるＣＤ系列光ディスクの総称であり、ＣＤ−ＲＯＭ、ＣＤ−Ａｕｄｉｏ、ＣＤ−Ｖｉｄｅｏ、ＣＤ−Ｒ、ＣＤ−ＲＷ等を含む。なお、記録密度については、ＢＤの記録密度が最も高く、次いでＤＶＤ、ＣＤの順に低くなる。【００３７】
なお、透明基板の厚さｔ１、ｔ２、ｔ３に関しては、以下の条件式（７）、（８）、（９）、
０．０５０ｍｍ≦ｔ１≦０．１２５ｍｍ          （７）
０．５ｍｍ≦ｔ２≦０．７ｍｍ              （８）
１．０ｍｍ≦ｔ３≦１．３ｍｍ              （９）
を満たすことが好ましいが、これに限られない。【００３８】
本明細書において、第１光源、第２光源、第３光源は、好ましくはレーザ光源である。レーザ光源としては、好ましくは半導体レーザ、シリコンレーザ等を用いることが出来る。第１光源から出射される第１光束の第１波長λ１、第２光源から出射される第２光束の第２波長λ２（λ２＞λ１）、第３光源から出射される第３光束の第３波長λ３（λ３＞λ２）は以下の条件式（１０）、（１１）、
１．５×λ１＜λ２＜１．７×λ１          （１０）
１．８×λ１＜λ３＜２．０×λ１          （１１）
を満たすことが好ましい。【００３９】
また、第１光ディスク、第２光ディスク、第３光ディスクとして、それぞれ、ＢＤ、ＤＶＤ及びＣＤが用いられる場合、第１光源の第１波長λ１は好ましくは、３５０ｎｍ以上、４４０ｎｍ以下、より好ましくは、３９０ｎｍより長く、４１５ｎｍより短く、第２光源の第２波長λ２は好ましくは５７０ｎｍ以上、６８０ｎｍ以下、より好ましくは、６３０ｎｍ以上、６７０ｎｍ以下であって、第３光源の第３波長λ３は好ましくは、７５０ｎｍ以上、８８０ｎｍ以下、より好ましくは、７６０ｎｍ以上、８２０ｎｍ以下である。【００４０】
また、第１光源、第２光源、第３光源のうち少なくとも２つの光源をユニット化してもよい。ユニット化とは、例えば第１光源と第２光源とが１パッケージに固定収納されているようなものをいう。また、光源に加えて、後述する受光素子を１パッケージ化してもよい。【００４１】
受光素子としては、フォトダイオードなどの光検出器が好ましく用いられる。光ディスクの情報記録面上で反射した光が受光素子へ入射し、その出力信号を用いて、各光ディスクに記録された情報の読み取り信号が得られる。さらに、受光素子上のスポットの形状変化、位置変化による光量変化を検出して、合焦検出やトラック検出を行い、この検出に基づいて、合焦、トラッキングのために対物レンズを移動させることが出来る。受光素子は、複数の光検出器からなっていてもよい。受光素子は、メインの光検出器とサブの光検出器を有していてもよい。例えば、情報の記録再生に用いられるメイン光を受光する光検出器の両脇に２つのサブの光検出器を設け、当該２つのサブの光検出器によってトラッキング調整用のサブ光を受光するような受光素子としてもよい。また、受光素子は各光源に対応した複数の受光素子を有していてもよい。【００４２】
集光光学系は、カップリングレンズと対物レンズを有する。カップリングレンズとは、対物レンズと光源の間に配置され、光束の発散角を変えるレンズ群のことをいう。尚、コリメータは、カップリングレンズの一種であって、入射した光束を平行光又は略平行光として出射するカップリングレンズである。カップリングレンズは、正レンズ群のみからなる場合と、正レンズ群と負レンズ群とを有している場合とがあり得る。正レンズ群は少なくとも１枚の正レンズを有する。正レンズ群は、正レンズ１枚のみでもよいし、複数のレンズを有していてもよい。負レンズ群を有する場合、負レンズ群は少なくとも１枚の負レンズを有する。負レンズ群は、負レンズ１枚のみでもよいし、複数のレンズを有していてもよい。好ましいカップリングレンズの例は、単玉レンズの正レンズ１枚のみからなるか、又は、単玉の正レンズ１枚と単玉の負レンズ１枚との組み合わせからなるものである。【００４３】
尚、本明細書では、カップリングレンズにおいて、光軸方向に移動可能とされたレンズを「移動レンズ」と呼ぶことがある。また、本明細書では、「カップリングレンズの移動量」を「移動レンズの移動量」と同じ意味で用いる。【００４４】
ところで、フォーカスジャンプを行う際、カップリングレンズの移動量を小さく抑える方法として、カップリングレンズを構成するレンズ群のうち、光軸方向に移動されるレンズ群のパワーを大きく（すなわち、光軸方向に移動されるレンズ群の焦点距離を短く）することが考えられる。これは、光軸方向に移動されるレンズ群の移動量は、そのレンズ群のパワーが大きくなるほど（すなわち、そのレンズ群の焦点距離が短くなるほど）小さくなるからである。然るに、カップリングレンズを一群構成とする場合、光軸方向に移動されるレンズ群の焦点距離（すなわち、カップリングレンズの焦点距離に等しい）を短くすると、対物レンズで集光されたスポットが楕円形状になり、ＢＤに対する情報の記録及び／又は再生に支障が出る虞がある。この理由を以下に述べる。【００４５】
一般的に、光ピックアップ装置の光源として用いられる半導体レーザから射出される光束は楕円形状であるため、楕円の長軸方向と短軸方向の光量分布は異なる。カップリングレンズの焦点距離が短くなりすぎると、カップリングレンズが取り込む光量分布の非対称性が顕著になるため、対物レンズで集光されたスポットが楕円形状になり、ＢＤに対する情報の記録及び／又は再生に支障が出る虞がある。従って、カップリングレンズが一群構成の場合は、フォーカスジャンプ時に必要とされるカップリングレンズの移動量を小さくすることと、カップリングレンズが取り込む光量分布の対称性を両立させることは困難である。【００４６】
上記を両立させるためには、カップリングレンズを正レンズ群と負レンズ群とから構成される２群構成とし、正レンズ群の少なくとも１つのレンズを光軸方向に移動させることにより、光ディスクにおけるいずれの情報記録面に集光するかを選択する構成にすると好ましい。【００４７】
説明を簡略化するために、カップリングレンズを正レンズと負レンズとから構成される２群構成の薄肉レンズ系とし、フォーカスジャンプ時には正レンズを光軸方向に沿って移動させるものとする。正レンズのパワーをＰＰ、正レンズの焦点距離をｆＰ、負レンズのパワーをＰＮ、負レンズの焦点距離をｆＮ、正レンズと負レンズの距離をＬとすると、カップリングレンズ全系のパワーＰＣ、及び、カップリングレンズ全系の焦点距離ｆＣは以下の（１２）式、
ＰＣ＝ＰＰ＋ＰＮ−Ｌ×ＰＰ×ＰＮ
ＰＣ＝１／ｆＣ
ＰＣ＝１／ｆＰ＋１／ｆＮ−Ｌ／（ｆＰ×ｆＮ）      （１２）
で表される。【００４８】
ここで、対物レンズの焦点距離をｆOとすると、カップリングレンズと対物レンズとから構成される集光光学系の倍率Ｍ’は以下の（１３）式、
Ｍ’＝−ｆO／ｆC   （１３）
となる。
【００４９】
カップリングレンズが取り込む光量分布の対称性を良好にし、対物レンズで集光されたスポットの形状を円形状するためには、光源として使用する半導体レーザから射出される光束の楕円率に対して光学系倍率Ｍ’を最適な値に設定する必要がある。尚、ＢＤ用の光ピックアップ装置では集光光学系の倍率の最適な値は−０．１程度である。また、光源とカップリングレンズとの間に配置される偏光ビームスプリッタ等の光学素子を配置するスペースを考慮すると、カップリングレンズ全系の焦点距離ｆCを極端に短くすることは出来ない。さらに、ＢＤに対して情報の記録及び／または再生を行う際の、対物レンズとＢＤの距離（作動距離ともいう）が短くなりすぎず、かつ、光ピックアップ装置を薄型化するためには、対物レンズの焦点距離ｆOの最適な範囲は自ずと決まる。以上より、（１３）式から、ＢＤ用の光ピックアップ装置用のカップリングレンズとして、その全系の焦点距離範囲はある所定の範囲である必要があり、フォーカスジャンプ時に必要なカップリングレンズの移動量のみを考慮してカップリングレンズ全系の焦点距離ｆCをむやみに小さくすることは出来ない。
【００５０】
ここで、フォーカスジャンプ時の移動量を小さく抑えるために、正レンズのパワーＰＰを大きくし、さらに、カップリングレンズ全系の焦点距離ｆＣが短くなり過ぎないように、負レンズのパワーＰＮの絶対値を大きくすると好ましい（（１２）式を参照）。【００５１】
以上より、正レンズ群と負レンズ群の２レンズ群からなるカップリングレンズにおいて、正レンズ群を光軸方向に動かすことにより、フォーカスジャンプ時に必要とされる正レンズ群の移動量を小さくすることと、カップリングレンズが取り込む光量分布の対称性を両立させることが可能となる。【００５２】
また、正レンズ群と負レンズ群の配置は、光源側から負レンズ群、正レンズ群の順に配置されていても良いし、光源側から正レンズ群、負レンズ群の順に配置されていても良い。好ましい配置は前者である。【００５３】
以上より、カップリングレンズの移動量を減らすという観点から、光ピックアップ装置におけるカップリングレンズの最適な例は、正レンズ１枚と負レンズ１枚の組み合わせから成り、光源側から負レンズ、正レンズの順に配置されていると好ましい。但し、本発明がこれに限られることはなく、カップリングレンズの構成を出来るだけ簡略にするという観点からは、単玉の正レンズ１枚のカップリングレンズという選択肢もあり得る。【００５４】
以上のような理由から、第１光ディスクの選択された情報記録面において発生する球面収差を補正するために、正レンズ群の少なくとも１枚のレンズ（好ましくは正レンズ）は光軸方向に移動可能となっていることが好ましい。例えば、第１光ディスクのある情報記録面の記録及び／又は再生を行い、次に、第１光ディスクの他の情報記録面の記録及び／又は再生を行う場合、カップリングレンズ群の正レンズ群の中の少なくとも１枚のレンズが光軸方向に移動し、光束の発散度を変化させ、対物レンズの倍率を変化させることにより、第１光ディスクの異なる情報記録面へのフォーカスジャンプ時に発生する球面収差を補正する。【００５５】
図１は、本発明者が行った検討結果を示す図である。本発明者は、プラスチック製であって、焦点距離ｆ＝１．１８ｍｍであり光学面が非球面もしくは回折面であり像側開口数が０．８５である対物レンズを例として、複数の情報記録面を有する第１光ディスク（ＢＤ）において、最大限離れた情報記録面にそれぞれ最適な集光スポットを形成した際に生じる最大の球面収差の差ＡＳと、環境温度が±３０℃変化したときに生じる最大の球面収差ＢＳと、光源の波長が±５ｎｍ変化した際に生じる最大の球面収差ＣＳとを求めた。これを図１の棒グラフで表す。かかる球面収差は、カップリングレンズを光軸方向に移動させ、対物レンズの倍率を変化させることで補正できるが、同じカップリングレンズを用いるとすると、球面収差量の合計がカップリングレンズの移動量に相当することとなる。【００５６】
ここで、図１（ａ）、（ｂ）に示すように、情報記録面を２つ有する光ディスクを使用する場合、光学面が非球面屈折面、回折面のいずれの対物レンズでも、球面収差量の合計は４１０〜４３０ｍλｒｍｓ程度であり、カップリングレンズの移動量は比較的小さいといえる。一方、図１（ｃ）に示すように、情報記録面を４つ有する光ディスクを使用する場合、光学面が非球面屈折面の対物レンズでは、球面収差量の合計は６８０ｍλｒｍｓとなり、カップリングレンズの移動量は、情報記録面を２つ有する光ディスクを使用する場合に比べて、約１．５倍必要になる。更に、図１（ｄ）に示すように、光学面が回折面の対物レンズでは、情報記録面を４つ有する光ディスクを使用する場合、回折面の効果として、温度変化に伴って発生する球面収差を低減しているが、その分、波長変化に伴って発生する球面収差が増加してしまい、結果として、球面収差量の合計は６６０ｍλｒｍｓとなり、カップリングレンズの移動量は、情報記録面を２つ有する光ディスクを使用する場合に比べて、同様に約１．５倍必要になる。【００５７】
但し、対物レンズをガラス製とし且つ光学面を非球面屈折面とすると、環境温度変化による球面収差ＢＳ（＝１４０ｍλｒｍｓ）がほぼゼロとなるため、よりカップリングレンズの移動量は小さく（図１（ｃ）において球面収差５４０ｍλｒｍｓの補正量相当）なる。さらに、対物レンズをガラス製とし且つ光学面を波長変動時に発生する球面収差を補正する回折面とすると、環境温度変化による球面収差ＢＳに加え、回折面の機能により光源の波長変動による球面収差ＣＳも減少できるため、カップリングレンズの移動量はより小さく（図１（ｃ）において球面収差５００ｍλｒｍｓの補正量相当）なる。つまり、カップリングレンズの移動量を減らすためには、対物レンズがガラス材料からなることが好ましい。しかしながら、このように対物レンズを改良しても、２つの情報記録面を有する光ディスクの使用時におけるカップリングレンズの移動量に対し、４つの情報記録面を有する光ディスクの使用時におけるカップリングレンズの移動量は依然として２倍程度であるため、カップリングレンズの移動量を抑制するためには、更なる工夫をすることが好ましい。同様なことは、３つの情報記録面もしくは５つ以上の情報記録面を有する光ディスクの使用時におけるカップリングレンズの移動量についても言える。そこで、本発明においては、対物レンズの正弦条件を崩すことで、カップリングレンズの移動量をさらに低減することを可能としている。【００５８】
尚、上記検討において、情報記録面を２つ有する光ディスクとして（光ディスクの光束入射面からの距離が小さいほうの情報記録面をＲＬ１、光ディスクの光束入射面からの距離が大きいほうの情報記録面をＲＬ２、とする）、光ディスクの光束入射面からＲＬ１までの距離が７５μｍであり、光ディスクの光束入射面からＲＬ２までの距離が１００μｍである光ディスクを想定した。さらに、情報記録面を４つ有する光ディスクとして（光ディスクの光束入射面からの距離が最小の情報記録面をＲＬ１、光ディスクの光束入射面からの距離が最大の情報記録面をＲＬ４、とする）、光ディスクの光束入射面からＲＬ１までの距離が５０μｍであり、光ディスクの光束入射面からＲＬ４までの距離が１００μｍである光ディスクを想定した。【００５９】
本明細書において、対物レンズとは、光ピックアップ装置において光ディスクに対向する位置に配置され、光源から射出された光束を光ディスクの情報記録面上に集光する機能を有する光学系を指す。対物レンズは、単玉のプラスチックレンズ又はガラスレンズである。対物レンズは屈折面のみからなっていてもよいし、光路差付与構造を有していてもよい。尚、ガラスレンズの上に光硬化性樹脂、ＵＶ硬化性樹脂、又は熱硬化性樹脂などで光路差付与構造を設けたハイブリッドレンズであってもよい。また、対物レンズは、屈折面が非球面であることが好ましい。また、対物レンズは、光路差付与構造が設けられるベース面が非球面であることが好ましい。なお、対物レンズの光源側の光学面を物体側の光学面と呼び、光ディスク側の光学面を像側の光学面と呼ぶことがある。対物レンズにおいて、光源側の光学面の曲率半径の絶対値が、像側の光学面の曲率半径の絶対値に比べて小さいことが好ましい。【００６０】
対物レンズがガラスレンズであると、図１を参照して説明したように、温度変化によって発生する球面収差を補正するためにカップリングレンズを移動させる必要がないため、カップリングレンズの移動量を減らすことができ、光ピックアップ装置を小型化できるため好ましい。【００６１】
また、対物レンズをガラスレンズとする場合は、ガラス転移点Ｔｇが５００℃以下、更に好ましくは４００℃以下であるガラス材料を使用することが好ましい。ガラス転移点Ｔｇが５００℃以下であるガラス材料を使用することにより、比較的低温での成形が可能となるので、金型の寿命を延ばすことが出来る。このようなガラス転移点Ｔｇが低いガラス材料としては、例えば（株）住田光学ガラス製のＫ−ＰＧ３２５や、Ｋ−ＰＧ３７５（共に製品名）がある。【００６２】
加えて、ガラスレンズを成形して製作する際に重要となる物性値が線膨張係数αである。仮にＴｇが４００℃以下の材料を選んだとしても、樹脂材料と比較して室温との温度差は依然大きい。線膨張係数αが大きい硝材を用いてレンズ成形を行った場合、降温時に割れが発生しやすくなる。硝材の線膨張係数αは、２００（×１０−７／Ｋ）以下にあることが好ましく、更に好ましくは１２０（×１０−７／Ｋ）以下であることが好ましい。【００６３】
ところで、ガラスレンズは一般的にプラスチックレンズよりも比重が大きいため、対物レンズをガラスレンズとすると、質量が大きくなり対物レンズを駆動するアクチュエータに負担がかかる。そのため、対物レンズをガラスレンズとする場合には、比重が小さいガラス材料を使用するのが好ましい。具体的には、比重が４．０以下であるのが好ましく、更に好ましくは比重が３．０以下であるものである。【００６４】
対物レンズをプラスチックレンズとする場合は、環状オレフィン系の樹脂材料等の脂環式炭化水素系重合体材料を使用するのが好ましい。また、当該樹脂材料は、波長４０５ｎｍに対する温度２５℃での屈折率が１．５４乃至１．６０の範囲内であって、−５℃から７０℃の温度範囲内での温度変化に伴う波長４０５ｎｍに対する屈折率変化率ｄＮ／ｄＴ（℃−１）が−２０×１０−５乃至−５×１０−５（より好ましくは、−１０×１０−５乃至−８×１０−５）の範囲内である樹脂材料を使用するのがより好ましい。また、対物レンズをプラスチックレンズとする場合、カップリングレンズもプラスチックレンズとすることが好ましい。【００６５】
脂環式炭化水素系重合体の好ましい例を幾つか、以下に示す。【００６６】
第１の好ましい例は、下記式（１）で表される繰り返し単位〔１〕を含有する重合体ブロック〔Ａ〕と、下記式（１）で表される繰り返し単位〔１〕並びに下記式（２）で表される繰り返し単位〔２〕または／および下記式（３）で表される繰り返し単位〔３〕を含有する重合体ブロック〔Ｂ〕とを有し、ブロック〔Ａ〕中の繰り返し単位〔１〕のモル分率ａ（モル％）と、前記ブロック〔Ｂ〕中の繰り返し単位〔１〕のモル分率ｂ（モル％）との関係がａ＞ｂであるブロック共重合体からなる樹脂組成物である。【００６７】
【化１】
0005582421.tif 000002
【００６８】
（式中、Ｒ１は水素原子、または炭素数１〜２０のアルキル基を表し、Ｒ２−Ｒ１２はそれぞれ独立に、水素原子、炭素数１〜２０のアルキル基、ヒドロキシル基、炭素数１〜２０のアルコキシ基、またはハロゲン基である。）【００６９】
【化２】
0005582421.tif 000003
【００７０】
（式中、Ｒ１３は、水素原子、または炭素数１〜２０のアルキル基を表す。）【００７１】
【化３】
0005582421.tif 000004
【００７２】
（式中、Ｒ１４およびＲ１５はそれぞれ独立に、水素原子、または炭素数１〜２０のアルキル基を表す。）
次に、第２の好ましい例は、少なくとも炭素原子数２〜２０のα−オレフィンと下記一般式（４）で表される環状オレフィンからなる単量体組成物とを付加重合させることにより得られる重合体（Ａ）と、炭素原子数２〜２０のα−オレフィンと下記一般式（５）で表される環状オレフィンからなる単量体組成物とを付加重合させることにより得られる重合体（Ｂ）とを含む樹脂組成物である。【００７３】
【化４】
0005582421.tif 000005
【００７４】
〔式中、ｎは０または１であり、ｍは０または１以上の整数であり、ｑは０または１であり、Ｒ１〜Ｒ１８、Ｒａ及びＲｂは、それぞれ独立に水素原子、ハロゲン原子または炭化水素基であり、Ｒ１５〜Ｒ１８は互いに結合して単環または多環を形成していてもよく、括弧内の単環または多環が二重結合を有していてもよく、またＲ１５とＲ１６と、またはＲ１７とＲ１８とでアルキリデン基を形成していてもよい。〕【００７５】
【化５】
0005582421.tif 000006
【００７６】
〔式中、Ｒ１９〜Ｒ２６はそれぞれ独立に水素原子、ハロゲン原子または炭化水素基である。〕
樹脂材料に更なる性能を付加するために、以下のような添加剤を添加してもよい。【００７７】
（安定剤）
フェノール系安定剤、ヒンダードアミン系安定剤、リン系安定剤及びイオウ系安定剤から選ばれた少なくとも１種の安定剤を添加することが好ましい。これらの安定剤を適宜選択し添加することで、例えば、４０５ｎｍといった短波長の光を継続的に照射した場合の白濁や、屈折率の変動等の光学特性変動をより高度に抑制することができる。【００７８】
好ましいフェノール系安定剤としては、従来公知のものが使用でき、例えば、２−ｔ−ブチル−６−（３−ｔ−ブチル−２−ヒドロキシ−５−メチルベンジル）−４−メチルフェニルアクリレート、２，４−ジ−ｔ−アミル−６−（１−（３，５−ジ−ｔ−アミル−２−ヒドロキシフェニル）エチル）フェニルアクリレートなどの特開昭６３−１７９９５３号公報や特開平１−１６８６４３号公報に記載されるアクリレート系化合物；オクタデシル−３−（３，５−ジ−ｔ−ブチル−４−ヒドロキシフェニル）プロピオネート、２，２′−メチレン−ビス（４−メチル−６−ｔ−ブチルフェノール）、１，１，３−トリス（２−メチル−４−ヒドロキシ−５−ｔ−ブチルフェニル）ブタン、１，３，５−トリメチル−２，４，６−トリス（３，５−ジ−ｔ−ブチル−４−ヒドロキシベンジル）ベンゼン、テトラキス（メチレン−３−（３′，５′−ジ−ｔ−ブチル−４′−ヒドロキシフェニルプロピオネート））メタン［すなわち、ペンタエリスリメチル−テトラキス（３−（３，５−ジ−ｔ−ブチル−４−ヒドロキシフェニルプロピオネート））］、トリエチレングリコールビス（３−（３−ｔ−ブチル−４−ヒドロキシ−５−メチルフェニル）プロピオネート）などのアルキル置換フェノール系化合物；６−（４−ヒドロキシ−３，５−ジ−ｔ−ブチルアニリノ）−２，４−ビスオクチルチオ−１，３，５−トリアジン、４−ビスオクチルチオ−１，３，５−トリアジン、２−オクチルチオ−４，６−ビス−（３，５−ジ−ｔ−ブチル−４−オキシアニリノ）−１，３，５−トリアジンなどのトリアジン基含有フェノール系化合物；などが挙げられる。【００７９】
また、好ましいヒンダードアミン系安定剤としては、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（Ｎ−オクトキシ−２，２，６，６−テトラメチル−４−ピペリジル）セバケート、ビス（Ｎ−ベンジルオキシ−２，２，６，６−テトラメチル−４−ピペリジル）セバケート、ビス（Ｎ−シクロヘキシルオキシ−２，２，６，６−テトラメチル−４−ピペリジル）セバケート、ビス（１，２，２，６，６−ペンタメチル−４−ピペリジル）２−（３，５−ジ−ｔ−ブチル−４−ヒドロキシベンジル）−２−ブチルマロネート、ビス（１−アクロイル−２，２，６，６−テトラメチル−４−ピペリジル）２，２−ビス（３，５−ジ−ｔ−ブチル−４−ヒドロキシベンジル）−２−ブチルマロネート、ビス（１，２，２，６，６−ペンタメチル−４−ピペリジル）デカンジオエート、２，２，６，６−テトラメチル−４−ピペリジルメタクリレート、４−［３−（３，５−ジ−ｔ−ブチル−４−ヒドロキシフェニル）プロピオニルオキシ］−１−［２−（３−（３，５−ジ−ｔ−ブチル−４−ヒドロキシフェニル）プロピオニルオキシ）エチル］−２，２，６，６−テトラメチルピペリジン、２−メチル−２−（２，２，６，６−テトラメチル−４−ピペリジル）アミノ−Ｎ−（２，２，６，６−テトラメチル−４−ピペリジル）プロピオンアミド、テトラキス（２，２，６，６−テトラメチル−４−ピペリジル）１，２，３，４−ブタンテトラカルボキシレート、テトラキス（１，２，２，６，６−ペンタメチル−４−ピペリジル）１，２，３，４−ブタンテトラカルボキシレート等が挙げられる。【００８０】
また、好ましいリン系安定剤としては、一般の樹脂工業で通常使用される物であれば格別な限定はなく、例えば、トリフェニルホスファイト、ジフェニルイソデシルホスファイト、フェニルジイソデシルホスファイト、トリス（ノニルフェニル）ホスファイト、トリス（ジノニルフェニル）ホスファイト、トリス（２，４−ジ−ｔ−ブチルフェニル）ホスファイト、１０−（３，５−ジ−ｔ−ブチル−４−ヒドロキシベンジル）−９，１０−ジヒドロ−９−オキサ−１０−ホスファフェナントレン−１０−オキサイドなどのモノホスファイト系化合物；４，４′−ブチリデン−ビス（３−メチル−６−ｔ−ブチルフェニル−ジ−トリデシルホスファイト）、４，４′イソプロピリデン−ビス（フェニル−ジ−アルキル（Ｃ１２〜Ｃ１５）ホスファイト）などのジホスファイト系化合物などが挙げられる。これらの中でも、モノホスファイト系化合物が好ましく、トリス（ノニルフェニル）ホスファイト、トリス（ジノニルフェニル）ホスファイト、トリス（２，４−ジ−ｔ−ブチルフェニル）ホスファイトなどが特に好ましい。【００８１】
また、好ましいイオウ系安定剤としては、例えば、ジラウリル３，３−チオジプロピオネート、ジミリスチル３，３′−チオジプロピピオネート、ジステアリル３，３−チオジプロピオネート、ラウリルステアリル３，３−チオジプロピオネート、ペンタエリスリトール−テトラキス−（β−ラウリル−チオ）−プロピオネート、３，９−ビス（２−ドデシルチオエチル）−２，４，８，１０−テトラオキサスピロ［５，５］ウンデカンなどが挙げられる。【００８２】
これらの各安定剤の配合量は、本発明の目的を損なわれない範囲で適宜選択されるが、脂環式炭化水素系共重合体１００質量部に対して通常０．０１〜２質量部、好ましくは０．０１〜１質量部であることが好ましい。【００８３】
（界面活性剤）
界面活性剤は、同一分子中に親水基と疎水基とを有する化合物である。界面活性剤は樹脂表面への水分の付着や上記表面からの水分の蒸発の速度を調節することで、樹脂組成物の白濁を防止することが可能となる。【００８４】
界面活性剤の親水基としては、具体的には、ヒドロキシ基、炭素数１以上のヒドロキシアルキル基、ヒドロキシル基、カルボニル基、エステル基、アミノ基、アミド基、アンモニウム塩、チオール、スルホン酸塩、リン酸塩、ポリアルキレングリコール基などが挙げられる。ここで、アミノ基は１級、２級、３級のいずれであってもよい。界面活性剤の疎水基としては、具体的に炭素数６以上のアルキル基、炭素数６以上のアルキル基を有するシリル基、炭素数６以上のフルオロアルキル基などが挙げられる。ここで、炭素数６以上のアルキル基は置換基として芳香環を有していてもよい。アルキル基としては、具体的にヘキシル、ヘプチル、オクチル、ノニル、デシル、ウンデセニル、ドデシル、トリデシル、テトラデシル、ミリスチル、ステアリル、ラウリル、パルミチル、シクロヘキシルなどが挙げられる。芳香環としてはフェニル基などが挙げられる。この界面活性剤は、上記のような親水基と疎水基とをそれぞれ同一分子中に少なくとも１個ずつ有していればよく、各基を２個以上有していてもよい。【００８５】
このような界面活性剤としては、より具体的には、例えば、ミリスチルジエタノールアミン、２−ヒドロキシエチル−２−ヒドロキシドデシルアミン、２−ヒドロキシエチル−２−ヒドロキシトリデシルアミン、２−ヒドロキシエチル−２−ヒドロキシテトラデシルアミン、ペンタエリスリトールモノステアレート、ペンタエリスリトールジステアレート、ペンタエリスリトールトリステアレート、ジ−２−ヒドロキシエチル−２−ヒドロキシドデシルアミン、アルキル（炭素数８〜１８）ベンジルジメチルアンモニウムクロライド、エチレンビスアルキル（炭素数８〜１８）アミド、ステアリルジエタノールアミド、ラウリルジエタノールアミド、ミリスチルジエタノールアミド、パルミチルジエタノールアミド、などが挙げられる。これらのうちでも、ヒドロキシアルキル基を有するアミン化合物またはアミド化合物が好ましく用いられる。本発明では、これら化合物を２種以上組み合わせて用いてもよい。【００８６】
界面活性剤は、温度、湿度の変動に伴う成形物の白濁を効果的に抑え、成形物の光透過率を高く維持するという観点から、脂環式炭化水素系重合体１００質量部に対して０．０１〜１０質量部添加されることが好ましい。界面活性剤の添加量は脂環式炭化水素系重合体１００質量部に対して０．０５〜５質量部とすることがより好ましく、０．３〜３質量部とすることが更に好ましい。【００８７】
（可塑剤）
可塑剤は共重合体のメルトインデックスを調節するため、必要に応じて添加される。【００８８】
可塑剤としては、アジピン酸ビス（２−エチルヘキシル）、アジピン酸ビス（２−ブトキシエチル）、アゼライン酸ビス（２−エチルヘキシル）、ジプロピレングリコールジベンゾエート、クエン酸トリ−ｎ−ブチル、クエン酸トリ−ｎ−ブチルアセチル、エポキシ化大豆油、２−エチルヘキシルエポキシ化トール油、塩素化パラフィン、リン酸トリ−２−エチルヘキシル、リン酸トリクレジル、リン酸−ｔ−ブチルフェニル、リン酸トリ−２−エチルヘキシルジフェニル、フタル酸ジブチル、フタル酸ジイソヘキシル、フタル酸ジヘプチル、フタル酸ジノニル、フタル酸ジウンデシル、フタル酸ジ−２−エチルヘキシル、フタル酸ジイソノニル、フタル酸ジイソデシル、フタル酸ジトリデシル、フタル酸ブチルベンジル、フタル酸ジシクロヘキシル、セバシン酸ジ−２−エチルヘキシル、トリメリット酸トリ−２−エチルヘキシル、Ｓａｎｔｉｃｉｚｅｒ  ２７８、Ｐａｒａｐｌｅｘ  Ｇ４０、Ｄｒａｐｅｘ  ３３４Ｆ、Ｐｌａｓｔｏｌｅｉｎ  ９７２０、Ｍｅｓａｍｏｌｌ、ＤＮＯＤＰ−６１０、ＨＢ−４０等の公知のものが適用可能である。可塑剤の選定及び添加量の決定は、共重合体の透過性や環境変化に対する耐性を損なわないことを条件に適宜行なわれる。【００８９】
これらの樹脂としては、シクロオレフィン樹脂が好適に用いられ、具体的には、日本ゼオン社製のＺＥＯＮＥＸや、三井化学社製のＡＰＥＬ、ＴＯＰＡＳ  ＡＤＶＡＮＣＥＤ  ＰＯＬＹＭＥＲＳ社製のＴＯＰＡＳ、ＪＳＲ社製ＡＲＴＯＮなどが好ましい例として挙げられる。【００９０】
また、対物レンズを構成する材料のアッベ数は、５０以上であることが好ましい。【００９１】
対物レンズの像側開口数（ＮＡ）が０．８以上、０．９５以下である単玉レンズである場合、光ディスクの透明基板厚のうち最大の透明基板厚（最も深い位置にある情報記録面と光ディスクの表面の間の距離）をＴＭＡＸ（ｍｍ）としたとき、常温（２５±３℃）、かつ、以下の（１）式を満たすカバーガラス厚Ｔ（ｍｍ）において、球面収差が最小となるときの倍率Ｍが（２）式、
ＴＭＡＸ×０．８０≦Ｔ≦ＴＭＡＸ×１．１        （１）
−０．００３≦Ｍ≦０．００３                （２）
を満たすことが好ましい。なお、（１）式は、対物レンズがガラスであるか、プラスチックであるかに関わらず、適用可能である。【００９２】
また、レンズチルトした際に発生するコマ収差に関して、３層以上のＢＤ用の対物レンズが満たすべき目標値を検討し、光束入射面から最も遠い位置にある情報記録面（すなわち、透明基板厚が最も厚い情報記録面）に対して情報の記録／再生を実行中に環境温度が高温になった場合に、光ディスクを傾けた際に発生する３次コマ収差ＣＭ（ＤＴ）と、対物レンズがチルトした際に発生する３次コマ収差ＣＭ（ＬＴ）との比は、０．３６程度と設定した。この比の値は、前述したように、２層ＢＤに対して情報の記録／再生を行う、対物レンズが搭載された光ピックアップ装置にて、透明基板厚が厚いほうの情報記録面Ｌ０（１００μｍ）に対して情報の記録／再生を実行中に環境温度が高温になった場合の、光ディスクが傾いた際の３次コマ収差ＣＭ（ＤＴ）と、対物レンズがチルトした際の３次コマ収差ＣＭ（ＬＴ）との比に等しい。【００９３】
本発明者らは、これらの値を目標値として、３層以上のＢＤ用に好適な対物レンズを検討した結果、常温（２５±３℃）かつ（２）式を満たす倍率において、球面収差が最小となるときのカバーガラス厚Ｔが（１）式の下限以上となるように球面収差の補正状態を設定することで、ＣＭ（ＬＴ）の目標値をみたすことを見出した。尚、ＣＭ（ＬＴ）は、カバーガラス厚Ｔが厚いほど大きくすることができるが、カバーガラス厚Ｔが（１）式の上限を超えると、透明基板厚が最も薄い情報記録面に情報の記録／再生を行う際に対物レンズに入射する光束の収束度合いが大きくなりすぎて、レンズシフト特性が劣悪になったり、透明基板厚が最も薄い情報記録面へフォーカスジャンプした際の残留高次球面収差が大きくなったりするという課題が発生するので好ましくない。また、（１）式を満たすことにより、原点に対し光源側に向かうカップリングレンズの移動量を、原点に対し対物レンズ側に向かうカップリングレンズの移動量に対して小さくすることが可能となるため、スリムタイプのような光ピックアップ装置において特に好適である。【００９４】
より好ましくは、以下の条件式（１′）、
ＴＭＡＸ×０．８５≦Ｔ≦ＴＭＡＸ×１．１          （１′）
を満たすことである。【００９５】
カバーガラス厚Ｔが（１′）式の上限を満たすことにより、透明基板厚が最も薄い情報記録面に情報の記録／再生を行う際に対物レンズに入射する光束の収束度合いが大きくなりすぎることを更に抑制し、その結果として、レンズシフト特性を更に良好にでき、透明基板厚が最も薄い情報記録面へフォーカスジャンプした際の残留高次球面収差も更に小さく出来るため好ましい。【００９６】
更に好ましくは、以下の条件式（１″）、
ＴＭＡＸ×０．８５≦Ｔ≦ＴＭＡＸ×１．０          （１″）
を満たすことである。この時、Ｍ＝０であると特に好ましい。【００９７】
カップリングレンズから対物レンズ側に平行光束が出射される位置を移動レンズの原点とする。このとき、条件式（１）を満たすことにより、原点から光源側に向かう移動レンズの最大移動距離を、原点から対物レンズ側に向かうカップリングレンズの最大移動距離よりも小さくすることができる。これにより、限られたスペースを有するスリムタイプの光ピックアップ装置において、カップリングレンズと、光源側に固定された素子との干渉を回避しつつも、３層以上の情報記録面のいずれかを選択して情報の記録／再生を行える。原点から光源側を（−）とし、原点から光ディスク側を（＋）としたときに、光ディスクの光束入射面から最も遠い情報記録面を選択して光束を集光する際の移動レンズの位置がＡ（Ａ＜０）であり、光ディスクの光束入射面に最も近い情報記録面を選択して光束を集光する際の移動レンズの位置がＢ（Ｂ＞０）とした場合に、さらに、以下の式、
−１０≦Ｂ／Ａ≦−１．５      （３）
を満たすことが好ましい。【００９８】
または、条件式（１）を満たすことにより、移動レンズを原点から光源側に移動させず、移動レンズを原点から対物レンズ側にのみ移動させることも可能である。これにより、限られたスペースを有するスリムタイプの光ピックアップ装置において、カップリングレンズと、光源側に固定された素子との干渉をより一層回避しつつも、３層以上の情報記録面のいずれかを選択して情報の記録／再生を行える。原点から光源側を（−）とし、原点から光ディスク側を（＋）としたときに、光ディスクの光束入射面から最も遠い情報記録面を選択して光束を集光する際の移動レンズの位置がＡ（Ａ＞０）であり、光ディスクの光束入射面に最も近い情報記録面を選択して光束を集光する際の移動レンズの位置がＢ（Ｂ＞０）とした場合に、さらに、以下の式、
５≦Ｂ／Ａ≦１５          （４）
を満たすことが好ましい。【００９９】
次に、対物レンズの正弦条件の好ましい条件について説明する。正弦条件とは図２に示すように、光軸からの高さｈ１の光線が、レンズに対して光軸平行入射時に、かかる光線がレンズから出射した際の射出角度がＵである時にｈ１／ｓｉｎＵが一定値を満たすことである。これが光軸からの高さｈ１からの高さに関わらず一定値である場合には、正弦条件が満たされて有効径内の各光線の横倍率が一定であるとみなせる。この正弦条件は軸上での計算値であるが、軸外の横倍率誤差（すなわち軸外コマ収差）補正を行う上では有効である。【０１００】
一方、ｈ１／ｓｉｎＵが一定値にならない場合、ＯＳＣ＝ｈ１／ｓｉｎＵ−ｆを正弦条件違反量と定義する。図３は、対物レンズにおける正弦条件違反量を横軸にとり、光軸からの高さを縦軸にとって示したグラフである。正弦条件を満足する対物レンズの場合、グラフは縦軸に一致するが、正弦条件を満足しない対物レンズの場合、図３に示すようにグラフは縦軸から正側及び／又は負側に離れることとなる。また、正弦条件を満足しない対物レンズについて、光軸及び有効径付近で正弦条件を満足させるようにすると、正弦条件違反量は必ず極大値を持つ。ここで、正弦条件違反量の正側の極大値をＳＣｍａｘとし、負側の極大値をＳＣｍｉｎとする。【０１０１】
図３（ａ）に示す特性の対物レンズは、正弦条件違反量が負側の極大値ＳＣｍｉｎを１つ有し、正側の極大値ＳＣｍａｘを有さない例である。このような対物レンズによれば、面シフト感度が小さく、また軸上厚誤差感度が小さいため、製造が容易である一方、カップリングレンズの移動に伴い、高次球面収差が増大し、倍率変化による球面収差の変化が小さいという特性を有する。従って、３層以上の光ディスクにおける情報記録面の選択のためカップリングレンズを移動する場合に、必要な移動量が増大する恐れがある。【０１０２】
これに対し、図３（ｂ）や図３（ｃ）に示す特性の対物レンズは、上述した倍率Ｍにおいて、対物レンズの有効半径の７割から９割の間で正弦条件違反量が正側の極大値ＳＣｍａｘを少なくとも１つ有する（好ましくは１つのみ）。図３（ｂ）や図３（ｃ）に示すような、対物レンズの有効半径の７割から９割の間において正弦条件違反量が正側の極大値ＳＣｍａｘを有する対物レンズによれば、カップリングレンズの移動に伴って発生する高次球面収差が減少し、倍率変化による球面収差の変化が大きいという特性を有するため、３層以上の光ディスクにおける情報記録面の選択のためカップリングレンズを移動する場合に、必要な移動量を小さくできる。【０１０３】
図３（ｂ）の例においては、正弦条件違反量が、正側の極大値よりも光軸側に負側の極大値を一つ有している。また、図３（ｃ）の例においては、正弦条件違反量が、正側の極大値のみを有し、負側の極大値を有していない。また、図３（ｂ）の例においても、図３（ｃ）の例においても、極大値より周辺部で正弦条件違反量が単調に減少している。【０１０４】
図３（ｂ）に示すような、倍率Ｍにおいて、有効半径の７割から９割の間で、正弦条件違反量が正の極大値を持ち、更に、正弦条件違反量が負の極大値を持つ場合、フォーカスジャンプ時の残留高次球面収差を小さくでき、フォーカスジャンプをする際のカップリングレンズの移動量を小さくでき、また、透明基板厚が厚い方の情報記録面に対して情報の記録／再生を行う最中に環境温度が高温になった場合でもレンズチルト感度の低減をより抑えることが可能となることに加え、対向する２つの光学面が製造誤差により光軸直交方向にシフトしてしまう場合の収差の発生量を抑えることができ、また、光軸上のレンズ厚が製造誤差により光軸方向にずれてしまう場合の収差の発生量も抑えることが可能となるため、より製造しやすい対物レンズを提供することが可能となる。【０１０５】
一方、図３（ｃ）に示すような、倍率Ｍにおいて、有効半径の７割から９割の間で、正弦条件違反量が正の極大値を持ち、正弦条件違反量が負の極大値を持たない場合、フォーカスジャンプ時の残留高次球面収差をより一層小さくでき、フォーカスジャンプをする際のカップリングレンズの移動量をより一層小さくでき、また、透明基板厚が厚い方の情報記録面に対して情報の記録／再生を行う最中に環境温度が高温になった場合でもレンズチルト感度の低減をより一層抑えることが可能となる。【０１０６】
また、高次球面収差をより抑制するためには、入射光の発散収束度の変化により対物レンズで発生する３次球面収差、及び、高次球面収差の変化が、フォーカスジャンプ時に発生する３次球面収差、及び、高次球面収差の変化とほぼ相似形となるように正弦条件の正の極大値を設定することが好ましい。【０１０７】
対物レンズは、カップリングレンズの移動量を小さくすることを優先して、正弦条件違反量の形状が設定されていてもよいし、フォーカスジャンプ時の残留収差を小さく抑えることを優先して、正弦条件違反量の形状が設定されていてもよい。【０１０８】
また、常温（２５±３℃）、かつ、上述の（２）式を満たす倍率Ｍにおいて、球面収差が最小となるときのカバーガラス厚をＴ（ｍｍ）、常温（２５±３℃）における前記波長λ１の焦点距離をｆ（ｍｍ）としたとき、常温（２５±３℃）、かつ、カバーガラス厚Ｔにおいて、対物レンズの倍率変化に対する３次球面収差の変化率ΔＳＡ３／（ΔＭ×ｆ）（λｒｍｓ／ｍｍ）が（１４）式、
２１＜｜ΔＳＡ３／（ΔＭ×ｆ）｜＜２５      （１４）
を満たすことが好ましい。【０１０９】
（１４）式を満たすように、対物レンズの倍率変化に対する３次球面収差の変化率を規定することで、フォーカスジャンプ時の残留高次球面収差の抑制とカップリングレンズの移動量の抑制を両立することが可能となる。【０１１０】
より好ましくは、以下の条件式（１４′）、
２１．５＜｜ΔＳＡ３／（ΔＭ×ｆ）｜＜２４．５    （１４′）
を満たすことである。【０１１１】
また、常温（２５±３℃）、かつ、カバーガラス厚Ｔにおいて、対物レンズの倍率を変化させた際に発生する３次球面収差ΔＳＡ３と５次球面収差ΔＳＡ５が（１５）式、
４．２＜ΔＳＡ３／ΔＳＡ５＜５．２      （１５）
を満たすことが好ましい。【０１１２】
（１５）式を満たすようにすることで、倍率変化時の３次球面収差と５次球面収差の変化の比が、カバーガラス厚が変化した際の３次球面収差と５次球面収差の比に近づくため、フォーカスジャンプ時の残留高次球面収差の抑制とカップリングレンズの移動量の抑制を両立することが可能となる。【０１１３】
より好ましくは、以下の条件式（１５′）、
４．３＜ΔＳＡ３／ΔＳＡ５＜４．９      （１５′）
を満たすことである。【０１１４】
また、常温（２５±３℃）、前述の透明基板厚Ｔ、かつ、倍率Ｍにおいて、対物レンズに対して半画角１度の斜め光束を入射させた場合に発生する５次コマ収差ＣＭ５（λｒｍｓ）が（１６）式、
０．０２＜｜ＣＭ５｜＜０．０５      （１６）
を満たすことが好ましい。【０１１５】
条件式（１６）は、フォーカスジャンプ時の残留高次球面収差の抑制とカップリングレンズの移動量の抑制を両立するための条件を別な観点から設定したものである。（２）式を満たす倍率Ｍにおいて、（１６）式を満たすことにより、フォーカスジャンプ時の残留高次球面収差の抑制とカップリングレンズの移動量の抑制を両立することが可能となる。【０１１６】
常温（２５±３℃）、かつ、カバーガラス厚、かつ、前記倍率Ｍにおいて、前記対物レンズに対して半画角１度の斜め光束を入射させた場合に発生する３次コマ収差ＣＭ３（λｒｍｓ）が（１７）式、
０≦｜ＣＭ３｜＜０．０２      （１７）
を満たすことを特徴とする。【０１１７】
条件式（１７）を満たすことによって、透明基板厚が厚い方の情報記録面に対して情報の記録／再生を行う場合であっても、レンズチルト感度が小さくなりすぎることを防止できる。更に、対物レンズがプラスチック製であったとしても、透明基板厚が厚い方の情報記録面に対して情報の記録／再生を行う最中に環境温度が高温になった場合でもレンズチルト感度が小さくなり過ぎることを防止できるため好ましい。【０１１８】
また、対物レンズは、正弦条件違反量の正の極大値をＳＣＭＡＸ（ｍｍ）とし、常温（２５±３℃）における前記波長λ１の焦点距離をｆ（ｍｍ）としたとき、（１８）式、
０．００３＜ＳＣＭＡＸ／ｆ＜０．０２２      （１８）
を満たすことが好ましい。【０１１９】
正弦条件違反量が（１８）式の下限より大きくなるように斜め光束が入射した際のコマ収差の補正状態を設定すると、フォーカスジャンプ時における高次球面収差が補正不足にならず、正弦条件違反量が（１８）式の上限より小さくなるように斜め光束が入射した際のコマ収差の補正状態を設定すると、高次球面収差が補正過剰にならないので、フォーカスジャンプ時における高次球面収差を有効に抑制できる。【０１２０】
より好ましくは、以下の条件式（１８′）、
０．００３＜ＳＣＭＡＸ／ｆ＜０．０１５      （１８′）
を満たすことである。【０１２１】
光ディスクに対して情報の記録及び／または再生を行う際に、対物レンズを前記光ディスクのラジアル方向及び／またはタンジェンシャル方向に沿って傾けることが可能になっていると、光ディスクの反りや傾き（本明細書ではディスクチルトと呼ぶ）によって発生するコマ収差を対物レンズが傾く（本明細書ではレンズチルトと呼ぶ）ことによって発生するコマ収差でキャンセルさせることが可能となり、光ディスクに対する情報の記録及び／または再生を安定して行うことが可能になる。【０１２２】
ここで、レンズチルトにより発生するコマ収差が、ディスクチルトにより発生するコマ収差に対して小さすぎると、ディスクチルトにより発生するコマ収差を補正するために必要なレンズチルト量が大きくなるため、消費電力が増大したり、レンズチルト時に対物レンズと光ディスクが衝突する、といった問題が発生する。【０１２３】
尚、レンズチルトにより発生するコマ収差は、対物レンズの正弦条件違反量に依存して変化し、その正弦条件違反量は、光ディスクに対して情報の記録／再生を行う状態における対物レンズの倍率に依存して変化する。具体的には、対物レンズに対して平行光束が入射する状態において正弦条件違反量が補正された対物レンズは、対物レンズに対して発散光束が入射する状態では正弦条件違反量がマイナス側に変化するため、レンズチルトにより発生するコマ収差量が小さくなる。かかるコマ収差量は、対物レンズに入射する光束の発散度が大きいほど小さくなる。【０１２４】
ＢＤ用の光ピックアップ装置において対物レンズに入射する光束の発散度が最も大きくなるのは、光束入射面からの距離が最も大きい情報記録面に対して情報の記録及び／または再生を行う場合であり、更にプラスチック材料からなる対物レンズの場合、環境温度の変化に起因して発生する球面収差を補正するために、光束の発散度は一層大きくなる。【０１２５】
そこで、高温（５５±３℃）時に、最大の透明基板厚ＴＭＡＸと等しいカバーガラス厚において、対物レンズによる集光スポットの３次球面収差が補正されるように、対物レンズに対して非平行光束を入射させた状態において、対物レンズを傾けた場合に発生する３次コマ収差ＣＭ（ＬＴ）に対する、カバーガラスを同量傾けた場合に発生する３次コマ収差ＣＭ（ＤＴ）の比の絶対値が０．３以上となるように、光束入射面からの距離が最も大きい情報記録面に対して情報の記録及び／または再生を行う状態における対物レンズの正弦条件違反量を設定すると好ましい。これにより、光束入射面からの距離が最も大きい情報記録面に対して情報の記録及び／または再生を行う場合でも、ディスクチルトによるコマ収差をレンズチルトにより良好に補正することが可能となり、光ディスクに含まれる全ての情報記録面に対して良好な記録／再生特性が得られる。【０１２６】
即ち、以下の条件式（１９）、
０．３≦｜ＣＭ（ＬＴ）／ＣＭ（ＤＴ）｜≦０．８      （１９）
を満たすことによって、透明基板厚が厚い方の情報記録面に対して情報の記録／再生を行う場合であっても、レンズチルト感度が小さくなりすぎることを防止できる。更に、対物レンズがプラスチック製であったとしても、透明基板厚が厚い方の情報記録面に対して情報の記録／再生を行う最中に環境温度が高温になった場合でもレンズチルト感度が小さくなり過ぎることを防止できるため好ましい。【０１２７】
尚、好ましくは、以下の条件式（１９′）、
０．３５≦｜ＣＭ（ＬＴ）／ＣＭ（ＤＴ）｜≦０．８      （１９′）
を満たすことである。【０１２８】
また、かかる効果をより一層発揮するためには、対物レンズの正弦条件違反量や球面収差の補正状態を以下に述べるように設定することがより好ましい。【０１２９】
対物レンズに対して（２）式を満たす倍率Ｍの光束が入射する状態において、最大の透明基板厚ＴＭＡＸと等しいカバーガラス厚を介して集光されたスポットの球面収差の絶対値よりも、最小の透明基板厚ＴＭＩＮと等しいカバーガラス厚を介して集光されたスポットの球面収差のほうが小さくなるように、対物レンズの球面収差の補正状態を設定することが好ましい。【０１３０】
これは、光ピックアップ装置において、対物レンズに前記倍率Ｍの光束が入射する状態における可動レンズの位置をＴ０、透明基板厚がＴＭＡＸである情報記録面に対して情報の記録及び／または再生を行う状態における可動レンズの位置をＴ１、透明基板厚がＴＭＩＮである情報記録面に対して情報の記録及び／または再生を行う状態における可動レンズの位置をＴ２としたとき、以下の（２０）式、
｜Ｔ１−Ｔ０｜＜｜Ｔ２−Ｔ０｜      （２０）
が成り立つことと同義である。【０１３１】
さらに、常温（２５±３℃）、かつ、最大の透明基板厚ＴＭＡＸにおいて、対物レンズによる集光スポットの３次球面収差が補正されるように、対物レンズに対して非平行光束を入射させた状態における倍率Ｍ１と、常温（２５±３℃）、かつ、最小の透明基板厚ＴＭＩＮにおいて、対物レンズによる集光スポットの３次球面収差が補正されるように、対物レンズに対して非平行光束を入射させた状態における倍率Ｍ２が（２１）式、
０≦Ｍ１／Ｍ２＜０．９２      （２１）
を満たすことが好ましい。【０１３２】
透明基板厚が厚い方の情報記録面に対して情報の記録／再生を行う場合に、レンズチルト感度が小さくなりすぎることを防止するためには、ＴがＴＭＡＸとＴＭＩＮの中間地点ではなく、ＴＭＡＸに近い方が好ましい。その好ましい範囲を倍率の観点から規定したものが、（２１）式である。【０１３３】
より好ましくは、以下の（２１′）式、
０≦Ｍ１／Ｍ２＜０．８      （２１′）
を満たすことである。【０１３４】
また、レンズ形状の観点から、常温（２５±３℃）における波長λ１に対する対物レンズの屈折率Ｎと、光源側（物体側）の光学面の有効径最周辺における傾斜角θ（度）が（２２）式、
−５９．８×Ｎ＋１６２＜θ＜−５９．８×Ｎ＋１６６      （２２）
を満たすことが好ましい。【０１３５】
さらに、レンズ形状の観点から、常温（２５±３℃）における波長λ１に対する対物レンズの屈折率をＮ、光ディスク側の光学面の非球面変形量Ｘ（ｈ）（ｍｍ）の１回微分Ｘ′（ｈ）が負から正に入れ替わる半径高さをＨ（ｍｍ）としたとき、（２３）式、
−２．８×Ｎ＋５．１＜Ｈ＜−２．８×Ｎ＋５．４      （２３）
を満たすことを特徴とする。但し、非球面変形量Ｘ（ｈ）は、光ディスク側の光学面の面頂点に接する平面から非球面までの光軸方向の距離で規定し、当該平面から光源側に変形する場合を負、当該平面から光ディスク側に変形する場合を正とし、Ｈは有効半径を１とした場合の相対値とする。【０１３６】
なお、本発明の光ピックアップ装置に用いられる対物レンズは、正弦条件をほぼ満足する対物レンズであってもよい。【０１３７】
第１光ディスクに対して情報を再生／記録するために必要な対物レンズの像側開口数をＮＡ１とし、第２光ディスクに対して情報を再生／記録するために必要な対物レンズの像側開口数をＮＡ２（ＮＡ１＞ＮＡ２）とし、第３光ディスクに対して情報を再生／記録するために必要な対物レンズの像側開口数をＮＡ３（ＮＡ２＞ＮＡ３）とする。ＮＡ１は、０．８以上、０．９５以下であり、より好ましくは、０．８以上、０．９以下である。特にＮＡ１は０．８５であることが好ましい。ＮＡ２は、０．５５以上、０．７以下であることが好ましい。特にＮＡ２は０．６０又は０．６５であることが好ましい。また、ＮＡ３は、０．４以上、０．５５以下であることが好ましい。特にＮＡ３は０．４５又は０．５３であることが好ましい。【０１３８】
また、対物レンズは、以下の（２４）式、
０．９≦ｄ／ｆ≦１．５      （２４）
を満たすことが好ましい。但し、ｄは、対物レンズの光軸上の厚さ（ｍｍ）を表し、ｆは、第１光束における対物レンズの焦点距離（ｍｍ）を表す。【０１３９】
ＢＤのような短波長、高ＮＡの光ディスクに対応する対物レンズの場合、対物レンズの焦点距離に対する光軸上の厚さの比が大きくなりすぎると、対物レンズに対して軸外光束が入射した際に非点収差が発生しやすくなったり、作動距離（ワーキングディスタンス）が確保出来なくなるという課題が生じる。一方、対物レンズの焦点距離に対する光軸上の厚さの比が小さくなりすぎると、面シフト感度が大きくなるという課題が生じる。（２４）式を満たすことにより非点収差の発生や面シフト感度を抑制することが可能となる。【０１４０】
なお、本発明の光ピックアップ装置は、焦点距離ｆが１．０ｍｍ以上、２．４ｍｍ以下の対物レンズに適用することができるが、本発明の効果がより顕著となるのは、スリムタイプの光ピックアップ装置であるため、本発明の効果がより顕著となる対物レンズの焦点距離ｆは、１．０ｍｍ以上、１．４５ｍｍ以下である。より顕著となるのは、１．０ｍｍ以上、１．４１ｍｍ以下であり、更に顕著となるのは、１．０ｍｍ以上、１．２７ｍｍ以下である。最も顕著となるのは、１．０ｍｍ以上、１．２ｍｍ以下である。【０１４１】
また、スリムタイプの光ピックアップ装置に用いられる対物レンズとしては、対物レンズの光束入射面の有効径は１．７ｍｍ以上、２．４ｍｍ以下であることが好ましい。より好ましくは、１．７ｍｍ以上、２．２ｍｍ以下であり、更に好ましくは、１．７ｍｍ以上、２．０ｍｍ以下である。【０１４２】
さらに、スリムタイプの光ピックアップ装置に用いられるカップリングレンズとしては、第１光束におけるその焦点距離が、８．５ｍｍ以上、１４．２ｍｍ以下であることが好ましく、より好ましくは、１２ｍｍ以上、１４ｍｍ以下である。【０１４３】
また、第１光ディスクを用いる際の対物レンズの作動距離は、０．１５ｍｍ以上、１．０ｍｍ以下であることが好ましい。【０１４４】
本発明に係る光情報記録再生装置は、上述の光ピックアップ装置を有する光ディスクドライブ装置を備えている。【０１４５】
ここで、光情報記録再生装置に装備される光ディスクドライブ装置に関して説明すると、光ディスクドライブ装置には、光ピックアップ装置等を収納している光情報記録再生装置本体から光ディスクを搭載した状態で保持可能なトレイのみが外部に取り出される方式と、光ピックアップ装置等が収納されている光ディスクドライブ装置本体ごと、外部に取り出される方式とがある。【０１４６】
上述した各方式を用いる光情報記録再生装置には、概ね、次の構成部材が装備されているがこれに限られるものではない。ハウジング等に収納された光ピックアップ装置、光ピックアップ装置をハウジングごと光ディスクの内周あるいは外周に向けて移動させるシークモータ等の光ピックアップ装置の駆動源、光ピックアップ装置のハウジングを光ディスクの内周あるいは外周に向けてガイドするガイドレールなどを有した光ピックアップ装置の移送手段及び、光ディスクの回転駆動を行うスピンドルモータ等である。【０１４７】
前者の方式には、これら各構成部材の他に、光ディスクを搭載した状態で保持可能なトレイおよびトレイを摺動させるためのローディング機構等が設けられ、後者の方式にはトレイおよびローディング機構がなく、各構成部材が外部に引き出し可能なシャーシに相当するドロワーに設けられていることが好ましい。【０１４８】
本明細書においては、厚みが８ｍｍ以下である光ピックアップ装置を、スリムタイプの光ピックアップ装置と定義する。光ピックアップ装置の厚みとは、図４に示すように、光ピックアップ本体の下面から光ディスク表面までの距離のことを指し、対物レンズの作動距離（対物レンズの光束出射面から光ディスク表面までの距離）を含むものとする。尚、スリムタイプの光ピックアップ装置を搭載した光ディスクドライブ装置は、厚み１３ｍｍ以下であることが好ましく、例えば、厚み１２．７ｍｍや９．５ｍｍの光ディスクドライブ装置があげられる。
【発明の効果】
【０１４９】
本発明によれば、コンパクト且つ低コストでありスリムタイプの光ピックアップ装置として好適であり、多層の情報記録面を有する光ディスクに対して情報の記録／再生を行うことができる光ピックアップ装置を提供することができる。
【図面の簡単な説明】
【０１５０】
【図１】本発明者が行った検討結果に基づく各球面収差を比較して示す図である。
【図２】正弦条件を説明するための図である。
【図３】正弦条件不満足量の例を示す図である。
【図４】光ピックアップ装置ＰＵ１の構成を概略的に示す図である。
【図５】光ピックアップ装置ＰＵ２の構成を概略的に示す図である。
【図６】実施例１について、縦軸に瞳半径をとり、横軸に正弦条件をとって示すグラフである。
【図７】実施例２について、縦軸に瞳半径をとり、横軸に正弦条件をとって示すグラフである。
【図８】実施例３について、縦軸に瞳半径をとり、横軸に正弦条件をとって示すグラフである。
【図９】実施例４について、縦軸に瞳半径をとり、横軸に正弦条件をとって示すグラフである。
【図１０】実施例５について、縦軸に瞳半径をとり、横軸に正弦条件をとって示すグラフである。
【発明を実施するための形態】
【０１５１】
以下、本発明の実施の形態を、図面を参照して説明する。図４は、厚さ方向に３つの情報記録面ＲＬ１〜ＲＬ３（光ディスクの光束入射面からの距離が小さい順にＲＬ１、ＲＬ２、ＲＬ３とする）を有する光ディスクであるＢＤに対して適切に情報の記録／再生を行うことができる本実施の形態の光ピックアップ装置ＰＵ１の構成を概略的に示す図である。かかる光ピックアップ装置ＰＵ１は、高さＨ＝８ｍｍ以下のスリムタイプの光ピックアップ装置（点線で外形を概略的に示す）である。なお、本発明は、本実施の形態に限られるものではない。例えば、図４ではＢＤ専用の光ピックアップ装置を示しているが、対物レンズＯＢＪをＢＤ／ＤＶＤ／ＣＤ互換用としたり、或いはＤＶＤ／ＣＤ用の対物レンズを別個に配置することで、ＢＤ／ＤＶＤ／ＣＤ互換用の光ピックアップ装置とすることもできる。
【０１５２】
光ピックアップ装置ＰＵ１は、対物レンズＯＢＪ、対物レンズＯＢＪをフォーカシング方向及びトラッキング方向に移動させ、光ディスクのラジアル方向、及び／または、タンジェンシャル方向に傾ける３軸アクチュエータＡＣ２、λ／４波長板ＱＷＰ、立ち上げミラーＭＲ、正の屈折力を有する１枚の正レンズからなる正レンズ群Ｌ２と負の屈折力を有する１枚の負レンズからなる負レンズ群Ｌ３とを有するカップリングレンズＣＬ、正レンズ群Ｌ２のみ光軸方向に移動させる１軸アクチュエータＡＣ１、偏光ビームスプリッタＰＢＳ、４０５ｎｍのレーザ光束（光束）を射出する半導体レーザＬＤ、センサ用レンズＳＬ、ＢＤの情報記録面ＲＬ１〜ＲＬ３からの反射光束を受光する受光素子ＰＤを有する。
【０１５３】
本実施の形態においては、カップリングレンズＣＬは、偏光ビームスプリッタＰＢＳとλ／４波長板ＱＷＰとの間に配置されている。カップリングレンズＣＬの正レンズ群Ｌ２の移動量は、半導体レーザＬＤからの光束が正レンズ群Ｌ２を通過して出射する際に平行光束となる位置を原点とし、原点から半導体レーザＬＤ側に向かう正レンズ群Ｌ２の最大移動距離は、原点から対物レンズＯＢＪ側に向かう正レンズ群Ｌ２の最大移動距離よりも小さくなっている。
【０１５４】
更に、原点から半導体レーザＬＤ側を（−）とし、原点から対物レンズＯＢＪ側を（＋）としたときに、ＢＤの光束入射面から最も遠い情報記録面ＲＬ３を選択して光束を集光する際の正レンズ群Ｌ２の位置がＡ（Ａ＜０）であり、ＢＤの光束入射面に最も近い情報記録面ＲＬ１を選択して光束を集光する際の正レンズ群Ｌ２の位置がＢ（Ｂ＞０）である場合に、以下の（３）式、
−１０≦Ｂ／Ａ≦−１．５      （３）
を満たす。
【０１５５】
また、同様に、ＢＤの光束入射面から最も遠い情報記録面ＲＬ３を選択して光束を集光する際の正レンズ群Ｌ２の位置がＡ（Ａ＞０）であり、ＢＤの光束入射面に最も近い情報記録面ＲＬ１を選択して光束を集光する際の正レンズ群Ｌ２の位置がＢ（Ｂ＞０）とした場合には、以下の（４）式、
５≦Ｂ／Ａ≦１５        （４）
を満たす。
【０１５６】
尚、本実施の形態では、対物レンズＯＢＪはプラスチック製またはガラス製の単玉レンズであり、対物レンズＯＢＪの波長λ１における焦点距離ｆ（ｍｍ）が、以下の（５）式、
１．０≦ｆ≦１．４５      （５）
を満たす。
【０１５７】
まず、ＢＤの第１の情報記録面ＲＬ１に対して記録／再生を行う場合について説明する。かかる場合、カップリングレンズＣＬの正レンズ群Ｌ２は、１軸アクチュエータＡＣ１により実線の位置（Ｂ）に移動させられる。ここで、青紫色半導体レーザＬＤから射出された光束（λ１＝４０５ｎｍ）の発散光束は、偏光ビームスプリッタＰＢＳを透過し、カップリングレンズＣＬの負レンズ群Ｌ３を通過して発散角が増大され、更に正レンズ群Ｌ２を通過して弱い発散光束とされた後、立ち上げミラーＭＲで反射され、λ／４波長板ＱＷＰにより直線偏光から円偏光に変換され、図示しない絞りによりその光束径が規制され、対物レンズＯＢＪによって第１の厚さの透明基板ＰＬ１を介して、実線で示すように第１の情報記録面ＲＬ１上に形成されるスポットとなる。
【０１５８】
第１の情報記録面ＲＬ１上で情報ピットにより変調された反射光束は、再び対物レンズＯＢＪ、絞りを透過した後、λ／４波長板ＱＷＰにより円偏光から直線偏光に変換され、立ち上げミラーＭＲで反射され、カップリングレンズＣＬの正レンズ群Ｌ２及び負レンズ群Ｌ３を通過して収束光束とされ、偏光ビームスプリッタＰＢＳで反射した後、センサ用レンズＳＬによって、受光素子ＰＤの受光面上に収束する。そして、受光素子ＰＤの出力信号を用いて、３軸アクチュエータＡＣ２により対物レンズＯＢＪをフォーカシングやトラッキングさせることで、第１の情報記録面ＲＬ１に記録された情報を読み取ることができる。
【０１５９】
次に、ＢＤの第２の情報記録面ＲＬ２に対して記録／再生を行う場合について説明する。かかる場合、カップリングレンズＣＬの正レンズ群Ｌ２は、１軸アクチュエータＡＣ１により一点鎖線の位置（ＢからＡの間）に移動させられる。ここで、青紫色半導体レーザＬＤから射出された光束（λ１＝４０５ｎｍ）の発散光束は、偏光ビームスプリッタＰＢＳを透過し、カップリングレンズＣＬの負レンズ群Ｌ３を通過して発散角が増大され、更に正レンズ群Ｌ２を通過して略平行光束とされた後、立ち上げミラーＭＲで反射され、λ／４波長板ＱＷＰにより直線偏光から円偏光に変換され、図示しない絞りによりその光束径が規制され、対物レンズＯＢＪによって第２の厚さ（第１の厚さより厚い）の透明基板ＰＬ２を介して、一点鎖線で示すように第２の情報記録面ＲＬ２上に形成されるスポットとなる。
【０１６０】
第２の情報記録面ＲＬ２上で情報ピットにより変調された反射光束は、再び対物レンズＯＢＪ、絞りを透過した後、λ／４波長板ＱＷＰにより円偏光から直線偏光に変換され、立ち上げミラーＭＲで反射され、カップリングレンズＣＬの正レンズ群Ｌ２及び負レンズ群Ｌ３を通過して収束光束とされ、偏光ビームスプリッタＰＢＳで反射した後、センサ用レンズＳＬによって、受光素子ＰＤの受光面上に収束する。そして、受光素子ＰＤの出力信号を用いて、３軸アクチュエータＡＣ２により対物レンズＯＢＪをフォーカシングやトラッキングさせることで、第２の情報記録面ＲＬ２に記録された情報を読み取ることができる。
【０１６１】
次に、ＢＤの第３の情報記録面ＲＬ３に対して記録／再生を行う場合について説明する。かかる場合、カップリングレンズＣＬの正レンズ群Ｌ２は、１軸アクチュエータＡＣ１により点線の位置（Ａ）に移動させられる。ここで、青紫色半導体レーザＬＤから射出された光束（λ１＝４０５ｎｍ）の発散光束は、偏光ビームスプリッタＰＢＳを透過し、カップリングレンズＣＬの負レンズ群Ｌ３を通過して発散角が増大され、更に正レンズ群Ｌ２を通過して弱い収束光束とされた後、立ち上げミラーＭＲで反射され、λ／４波長板ＱＷＰにより直線偏光から円偏光に変換され、図示しない絞りによりその光束径が規制され、対物レンズＯＢＪによって第３の厚さ（第２の厚さより厚い）の透明基板ＰＬ３を介して、点線で示すように第３の情報記録面ＲＬ３上に形成されるスポットとなる。
【０１６２】
第３の情報記録面ＲＬ３上で情報ピットにより変調された反射光束は、再び対物レンズＯＢＪ、絞りを透過した後、λ／４波長板ＱＷＰにより円偏光から直線偏光に変換され、立ち上げミラーＭＲで反射され、カップリングレンズＣＬの正レンズ群Ｌ２及び負レンズ群Ｌ３を通過して収束光束とされ、偏光ビームスプリッタＰＢＳで反射した後、センサ用レンズＳＬによって、受光素子ＰＤの受光面上に収束する。そして、受光素子ＰＤの出力信号を用いて、３軸アクチュエータＡＣ２により対物レンズＯＢＪをフォーカシングやトラッキングさせることで、第３の情報記録面ＲＬ３に記録された情報を読み取ることができる。
【０１６３】
本実施の形態によれば、カップリングレンズＣＬに対して半導体レーザＬＤ側には、近接して偏光ビームスプリッタＰＢＳが配置されているのに対し、対物レンズＯＢＪ側には、比較的離れて立ち上げミラーＭＲが配置されているので、原点に配置されたカップリングレンズＣＬを半導体レーザＬＤ側に移動させる最大距離を、対物レンズＯＢＪ側に移動させる最大距離より小さくすることで、異なる情報記録面にスポットを集光させるためのトータルの移動距離を確保しつつ、コンパクトな光ピックアップ装置を得ることができる。また、光ディスクに対して情報の記録及び／または再生行う際に、光ディスクの反りや傾きにより発生するコマ収差を補正するために、３軸アクチュエータＡＣ２で、対物レンズＯＢＪを光ディスクのラジアル方向及び／またはタンジェンシャル方向に沿って傾ける。これにより、反りを持つ光ディスクに対する情報の記録及び／または再生を安定して行え、かつ、光ディスクが回転中に傾いた場合でも情報記録面上のスポットの品質を良好に保つことが可能になる。
【０１６４】
図５は、厚さ方向に３つの情報記録面ＲＬ１〜ＲＬ３（光ディスクの光束入射面からの距離が小さい順にＲＬ１、ＲＬ２、ＲＬ３とする）を有する光ディスクであるＢＤに対して適切に情報の記録／再生を行うことができる別な実施の形態の光ピックアップ装置ＰＵ２の構成を概略的に示す図である。かかる光ピックアップ装置ＰＵ２も、高さＨ＝８ｍｍ以下のスリムタイプの光ピックアップ装置（点線で外形を概略的に示す）である。
【０１６５】
本実施の形態においては、単玉の正レンズからなるカップリングレンズＣＬが、アクチュエータＡＣ１により光軸方向に移動可能となっている点のみが異なるので、それ以外の構成については説明を省略する。本実施の形態においても、カップリングレンズＣＬは、偏光ビームスプリッタＰＢＳとλ／４波長板ＱＷＰとの間に配置されており、カップリングレンズＣＬの移動量は、半導体レーザＬＤからの光束がカップリングレンズＣＬを通過して出射する際に平行光束となる位置を原点とし、原点から半導体レーザＬＤ側に向かうカップリングレンズＣＬの最大移動距離は、原点から対物レンズＯＢＪ側に向かうカップリングレンズＣＬの最大移動距離よりも小さくなっている。
【０１６６】
更に、原点から半導体レーザＬＤ側を（−）とし、原点から対物レンズＯＢＪ側を（＋）としたときに、ＢＤの最も光束入射面から遠い情報記録面ＲＬ３を選択して光束を集光する際のカップリングレンズＣＬの位置がＡ（Ａ＜０）であり、ＢＤの最も入射面に近い情報記録面ＲＬ１を選択して光束を集光する際カップリングレンズＣＬの位置がＢ（Ｂ＞０）である場合に、以下の（３）式、
−１０≦Ｂ／Ａ≦−１．５      （３）
を満たす。
【０１６７】
また、同様に、ＢＤの光束入射面から最も遠い情報記録面ＲＬ３を選択して光束を集光する際のカップリングレンズＣＬの位置がＡ（Ａ＞０）であり、ＢＤの光束入射面に最も近い情報記録面ＲＬ１を選択して光束を集光する際のカップリングレンズＣＬの位置がＢ（Ｂ＞０）とした場合には、以下の（４）式、
５≦Ｂ／Ａ≦１５        （４）
を満たす。
【実施例】
【０１６８】
次に、上述の実施の形態に用いることができる対物レンズの実施例について以下に説明する。対物レンズの設計波長は４０５ｎｍ又は４０８ｎｍ、以下の表中のｒは曲率半径、ｄは第ｉ面から第ｉ＋１面までの光軸方向の位置、Ｎｄはｄ線（５８７．６ｎｍ）における各面の屈折率、Ｎ４０５は設計波長４０５ｎｍにおける各面の屈折率、Ｎ４０８は設計波長４０８ｎｍにおける各面の屈折率、νｄはｄ線におけるアッベ数を表している。尚、これ以降（表のレンズデータ含む）において、１０のべき乗数（例えば、２．５×１０−３）を、Ｅ（例えば、２．５Ｅ−３）を用いて表すものとする。対物レンズの光学面は、それぞれ数１式に表１に示す係数を代入した数式で規定される、光軸の周りに軸対称な非球面に形成されている。【０１６９】
【数１】
0005582421.tif 000007
【０１７０】
ここで、Ｘ（ｈ）は光軸方向の軸（光の進行方向を正とする）、κは円錐係数、Ａｉは非球面係数、ｈは光軸からの高さ、ｒは近軸曲率半径である。【０１７１】
（実施例１）
表１及び表２に、図４の実施の形態に用いると好適な実施例１のレンズデータを示す。本実施例は３層以上の多層ＢＤ（ＴＭＡＸ＝０．１ｍｍ、ＴＭＩＮ＝０．０５ｍｍ）に対応したガラス製の対物レンズであり、焦点距離ｆ＝１．４１２ｍｍ、有効径φ２．４０ｍｍ、カバーガラス厚Ｔ＝０．０９５ｍｍとした。又、カップリングレンズは、１枚の正レンズと１枚の負レンズからなり、正レンズが移動レンズであり、Ｂ／Ａ＝−９．７６３である。最奥層を記録／再生する場合は移動レンズが光源側に移動し、最手前層を記録／再生する場合は移動レンズが対物レンズ側に移動する（即ちＡは負の値、Ｂは正の値）。図６に実施例１の正弦条件カーブを示す。図６に示すように、実施例１の対物レンズにおいては、正弦条件違反量が瞳半径の８割５分の位置で正の極大値を持っている。【０１７２】
【表１】
0005582421.tif 000008
【０１７３】
【表２】
0005582421.tif 000009
【０１７４】
（実施例２）
表３及び表４に、図５の実施の形態に用いると好適な実施例２のレンズデータを示す。本実施例は３層以上の多層ＢＤ（ＴＭＡＸ＝０．１ｍｍ、ＴＭＩＮ＝０．０５ｍｍ）に対応したガラス製の対物レンズであり、焦点距離ｆ＝１．２７０ｍｍ、有効径φ２．１６ｍｍ、カバーガラス厚Ｔ＝０．０８０ｍｍとした。又、カップリングレンズは、１枚の正レンズからなり、Ｂ／Ａ＝−１．６０１である。最奥層を記録／再生する場合はカップリングレンズが光源側に移動し、最手前層を記録／再生する場合はカップリングレンズが対物レンズ側に移動する（即ちＡは負の値、Ｂは正の値）。図７に実施例２の正弦条件カーブを示す。図７に示すように、実施例２の対物レンズにおいては、正弦条件違反量が瞳半径の８割の位置で正の極大値を持ち、瞳半径の４割の位置で負の極大値を持っている。【０１７５】
【表３】
0005582421.tif 000010
【０１７６】
【表４】
0005582421.tif 000011
【０１７７】
（実施例３）
表５及び表６に、図４の実施の形態に用いると好適な実施例１のレンズデータを示す。本実施例は３層以上の多層ＢＤ（ＴＭＡＸ＝０．１ｍｍ、ＴＭＩＮ＝０．０５ｍｍ）に対応したプラスチック製の対物レンズであり、焦点距離ｆ＝１．１８０ｍｍ、有効径φ２．００ｍｍ、カバーガラス厚Ｔ＝０．１０５ｍｍとした。又、カップリングレンズは、１枚の正レンズと１枚の負レンズからなり、Ｂ／Ａ＝１２．０６７である。但し、最奥層を記録／再生する場合も、最手前層を記録／再生する場合も、カップリングレンズは対物レンズ側に移動する（即ちＡもＢも正の値）。図８に実施例３の正弦条件カーブを示す。図８に示すように、実施例３の対物レンズにおいては、正弦条件違反量が瞳半径の８割５分の位置で正の極大値を持っている。【０１７８】
【表５】
0005582421.tif 000012
【０１７９】
【表６】
0005582421.tif 000013
【０１８０】
（実施例４）
表７及び表８に、図５の実施の形態に用いると好適な実施例４のレンズデータを示す。本実施例は３層以上の多層ＢＤ（ＴＭＡＸ＝０．１ｍｍ、ＴＭＩＮ＝０．０５ｍｍ）に対応したガラス製の対物レンズであり、焦点距離ｆ＝１．１８０ｍｍ、有効径φ２．００ｍｍ、カバーガラス厚Ｔ＝０．０８７５ｍｍとした。又、カップリングレンズは、１枚の正レンズからなり、Ｂ／Ａ＝−３．３０９である。最奥層を記録／再生する場合はカップリングレンズが光源側に移動し、最手前層を記録／再生する場合はカップリングレンズが対物レンズ側に移動する（即ちＡは負の値、Ｂは正の値）。図９に実施例４の正弦条件カーブを示す。図９に示すように、実施例１の対物レンズにおいては、正弦条件違反量が瞳半径の８割の位置で正の極大値を持ち、瞳半径の３割の位置で負の極大値を持っている。【０１８１】
【表７】
0005582421.tif 000014
【０１８２】
【表８】
0005582421.tif 000015
【０１８３】
（実施例５）
表９及び表１０に、図５の実施の形態に用いると好適な実施例５のレンズデータを示す。本実施例は３層以上の多層ＢＤ（ＴＭＡＸ＝０．１ｍｍ、ＴＭＩＮ＝０．０５ｍｍ）に対応したガラス製の対物レンズであり、焦点距離ｆ＝１．０００ｍｍ、有効径φ１．７０ｍｍ、カバーガラス厚Ｔ＝０．０８５ｍｍとした。又、カップリングレンズは、１枚の正レンズからなり、Ｂ／Ａ＝−２．６８１である。最奥層を記録／再生する場合はカップリングレンズが光源側に移動し、最手前層を記録／再生する場合はカップリングレンズが対物レンズ側に移動する（即ちＡは負の値、Ｂは正の値）。図１０に実施例５の正弦条件カーブを示す。図１０に示すように、実施例５の対物レンズにおいては、正弦条件違反量がほぼゼロである。【０１８４】
【表９】
0005582421.tif 000016
【０１８５】
【表１０】
0005582421.tif 000017
【０１８６】
表１１に、各実施例の特性値をまとめて示す。なお表中の＊を記したストロークＡ及びストロークＢの値は、カップリングレンズから平行光束が射出される位置を０（原点）とし、移動レンズが光源側に移動する場合を（−）、光ディスク側へ移動する場合を（＋）とした。【０１８７】
【表１１】
0005582421.tif 000018
【０１８８】
本発明は、明細書に記載の実施例に限定されるものではなく、他の実施例・変形例を含むことは、本明細書に記載された実施例や思想から本分野の当業者にとって明らかである。明細書の記載及び実施例は、あくまでも例証を目的としており、本発明の範囲は後述するクレームによって示されている。
【符号の説明】
【０１８９】
ＯＢＪ  対物レンズ
ＰＵ１，ＰＵ２  光ピックアップ装置
ＬＤ  青紫色半導体レーザ
ＡＣ１  １軸アクチュエータ
ＡＣ２  ３軸アクチュエータ
ＰＢＳ  偏光ビームスプリッタ
ＣＬ  カップリングレンズ
Ｌ２  正レンズ群
Ｌ３  負レンズ群
ＬＤ  半導体レーザ
ＭＲ  立ち上げミラー
ＰＤ  受光素子
ＳＬ  センサ用レンズ
ＰＬ１  第１の透明基板
ＰＬ２  第２の透明基板
ＰＬ３  第３の透明基板
ＲＬ１  第１の情報記録面
ＲＬ２  第２の情報記録面
ＲＬ３  第３の情報記録面
ＱＷＰ  λ／４波長板
【図１】
0005582421.tif 000019
【図２】
0005582421.tif 000020
【図３】
0005582421.tif 000021
【図４】
0005582421.tif 000022
【図５】
0005582421.tif 000023
【図６】
0005582421.tif 000024
【図７】
0005582421.tif 000025
【図８】
0005582421.tif 000026
【図９】
0005582421.tif 000027
【図１０】
0005582421.tif 000028